(57)【要約】      （修正有）【課題】音源定位が向上された補聴器を提供する。【解決手段】ＢＴＥ型補聴器１０のパラメータを決定する方法であって、頭部伝達関数ＨＴＲＦｌ（ｆ）を決定するステップと、方向ｌに対する少なくとも１つのＩＴＥ型マイクロホンのｉ番目のマイクロホンの補聴器関連伝達関数Ｈｌ，ｉＩＴＥＣ（ｆ）を決定するステップと、少なくとも１つのＢＴＥ型マイクロホンのｊ番目のマイクロホンの補聴器関連伝達関数Ｈｌ，ｊＢＴＥＣ（ｆ）を決定するステップと、少なくとも１つのＩＴＥ型マイクロホンのオーディオ音声信号をフィルタリングする少なくとも１つのキューフィルタのｉ番目のキューフィルタの伝達関数ＧｉＩＥＣ（ｆ）を決定するステップと、少なくとも１つのＢＴＥ型マイクロホンのオーディオ音声信号をフィルタリングする少なくとも１つのキューフィルタのｊ番目のキューフィルタの伝達関数ＧｊＢＴＥＣ（ｆ）を決定するステップとを含む。【選択図】図７
2014140162.tif 000002
【特許請求の範囲】
【請求項１】
少なくとも１つのＩＴＥ型マイクロホンおよび少なくとも１つのＢＴＥ型マイクロホンを有するＢＴＥ型補聴器のパラメータを決定する方法であって、
頭部伝達関数ＨＲＴＦｌ（ｆ）等の空間的キューを含む伝達関数を決定するステップと、
方向ｌに対する前記少なくとも１つのＩＴＥ型マイクロホンのｉ番目のマイクロホンの補聴器関連伝達関数Ｈｌ，ｉＩＥＣ（ｆ）を決定するステップと、
前記少なくとも１つのＢＴＥ型マイクロホンのｊ番目のマイクロホンの補聴器関連伝達関数Ｈｌ，ｊＢＴＥＣ（ｆ）を決定するステップと、
前記少なくとも１つのＩＴＥ型マイクロホンのオーディオ音声信号をフィルタリングする少なくとも１つのキューフィルタのｉ番目のキューフィルタの伝達関数ＧｉＩＥＣ（ｆ）を決定するステップと、
前記少なくとも１つのＢＴＥ型マイクロホンのオーディオ音声信号をフィルタリングする前記少なくとも１つのキューフィルタのｊ番目のキューフィルタの伝達関数ＧｊＢＴＥＣ（ｆ）を決定するステップと、
を含み、
前記伝達関数ＧｉＩＥＣ（ｆ）および前記伝達関数ＧｊＢＴＥＣ（ｆ）は、方程式に基づいて処理装置を使用して決定され、前記方程式は、空間的キューを含む前記伝達関数，Ｈｌ，ｉＩＥＣ（ｆ），Ｈｌ，ｊＢＴＥＣ（ｆ），ＧｉＩＥＣ（ｆ），および，ＧｊＢＴＥＣ（ｆ）に基づく、方法。
【請求項２】
前記少なくとも１つのＩＴＥ型マイクロホンの前記ｉ番目のマイクロホンと関連付けられたフィードバック経路の伝達関数ＨＦＢ，ｉＩＥＣ（ｆ）を決定するステップと、
前記少なくとも１つのＢＴＥ型マイクロホンの前記ｊ番目のマイクロホンと関連付けられたフィードバック経路の伝達関数ＨＦＢ，ｊＢＴＥＣ（ｆ）を決定するステップと、
をさらに含む、請求項１に記載の方法。
【請求項３】
伝達関数ＨＦＢ，ｉＩＥＣ（ｆ）およびＨＦＢ，ｊＢＴＥＣ（ｆ）に基づく条件に従って、ＨＲＴＦｌ（ｆ），Ｈｌ，ｉＩＥＣ（ｆ），Ｈｌ，ｊＢＴＥＣ（ｆ），ＧｉＩＥＣ（ｆ），および，ＧｊＢＴＥＣ（ｆ）に基づく最小化問題の解を得ることによって、前記少なくとも１つのＩＴＥ型マイクロホンと関連付けられた前記少なくとも１つのキューフィルタのフィルタ係数、および、前記少なくとも１つのＢＴＥ型マイクロホンと関連付けられた前記少なくとも１つのキューフィルタのフィルタ係数を決定するステップをさらに含む、請求項２に記載の方法。
【請求項４】
ＨＲＴＦｌ（ｆ），Ｈｌ，ｉＩＥＣ（ｆ），Ｈｌ，ｊＢＴＥＣ（ｆ），ＧｉＩＥＣ（ｆ），ＧｊＢＴＥＣ（ｆ）ならびに伝達関数ＨＦＢ，ｉＩＥＣ（ｆ）およびＨＦＢ，ｊＢＴＥＣ（ｆ）に基づく最小化問題の解を得ることによって、前記少なくとも１つのＩＴＥ型マイクロホンと関連付けられた前記少なくとも１つのキューフィルタのフィルタ係数、および、前記少なくとも１つのＢＴＥ型マイクロホンと関連付けられた前記少なくとも１つのキューフィルタのフィルタ係数を決定するステップをさらに含む、請求項２に記載の方法。
【請求項５】
前記頭部伝達関数ＨＲＴＦｌ（ｆ）は、補聴器関連伝達関数Ｈｌ，ｒｅｆＩＴＥＣ（ｆ）を使用して決定され、前記少なくとも１つのＩＴＥ型マイクロホンのオーディオ音声信号をフィルタリングする前記少なくとも１つのキューフィルタのフィルタ係数、および、前記少なくとも１つのＢＴＥ型マイクロホンのオーディオ音声信号をフィルタリングする前記少なくとも１つのキューフィルタのフィルタ係数は、伝達関数ＨＦＢ，ｉＩＥＣ（ｆ）およびＨＦＢ，ｊＢＴＥＣ（ｆ）に基づく条件に従って、Ｈｌ，ｒｅｆＩＴＥＣ（ｆ），Ｈｌ，ｉＩＥＣ（ｆ），Ｈｌ，ｊＢＴＥＣ（ｆ），ＧｉＩＥＣ（ｆ），および，ＧｊＢＴＥＣ（ｆ）に基づく最小化問題の解を得ることによって決定される、請求項２に記載の方法。
【請求項６】
前記頭部伝達関数ＨＲＴＦｌ（ｆ）は、補聴器関連伝達関数Ｈｌ，ｒｅｆＩＴＥＣ（ｆ）を使用して決定され、前記少なくとも１つのＩＴＥ型マイクロホンのオーディオ音声信号をフィルタリングする前記少なくとも１つのキューフィルタのフィルタ係数、および、前記少なくとも１つのＢＴＥ型マイクロホンのオーディオ音声信号をフィルタリングする前記少なくとも１つのキューフィルタのフィルタ係数は、Ｈｌ，ｒｅｆＩＴＥＣ（ｆ），Ｈｌ，ｉＩＥＣ（ｆ），Ｈｌ，ｊＢＴＥＣ（ｆ），ＧｉＩＥＣ（ｆ），ＧｊＢＴＥＣ（ｆ）ならびに伝達関数ＨＦＢ，ｉＩＥＣ（ｆ）およびＨＦＢ，ｊＢＴＥＣ（ｆ）に基づく最小化問題の解を得ることによって決定される、請求項２に記載の方法。
【請求項７】
前記頭部伝達関数ＨＲＴＦｌ（ｆ），前記補聴器関連伝達関数Ｈｌ，ｉＩＥＣ（ｆ），および前記補聴器関連伝達関数Ｈｌ，ｊＢＴＥＣ（ｆ）を決定する前記ステップは、複数の使用者について実行され、
前記少なくとも１つのＢＴＥ型マイクロホンのオーディオ音声信号をフィルタリングする前記少なくとも１つのキューフィルタのフィルタ係数は、前記複数の使用者の前記頭部伝達関数ＨＲＴＦｌ（ｆ）の平均値、前記補聴器関連伝達関数Ｈｌ，ｉＩＥＣ（ｆ）の平均値および前記補聴器関連伝達関数Ｈｌ，ｊＢＴＥＣ（ｆ）の平均値に基づいて決定される、請求項１に記載の方法。
【請求項８】
前記補聴器は、複数の周波数チャネルを有し、
前記少なくとも１つのＩＴＥ型マイクロホンのオーディオ音声信号をフィルタリングする前記少なくとも１つのキューフィルタのフィルタ係数、および、前記少なくとも１つのＢＴＥ型マイクロホンのオーディオ音声信号をフィルタリングする前記少なくとも１つのキューフィルタのフィルタ係数は、前記周波数チャネルの１つまたは複数において決定される、請求項１に記載の方法。
【請求項９】
難聴補正が前記少なくとも１つのＩＴＥ型マイクロホンの出力にのみ実行されるように、前記周波数チャネルの１つまたは複数において前記少なくとも１つのＢＴＥ型マイクロホンを切断するステップをさらに含む、請求項８に記載の方法。
【請求項１０】
前記少なくとも１つのＩＴＥ型マイクロホンのオーディオ音声信号をフィルタリングする前記少なくとも１つのキューフィルタによって、または、前記少なくとも１つのＢＴＥ型マイクロホンのオーディオ音声信号をフィルタリングする前記少なくとも１つのキューフィルタによって、または、それらの両方によって出力された、フィルタリング済みのオーディオ音声信号の組み合わせに基づいて難聴補正済みの出力信号を生成するステップをさらに含む、請求項１に記載の方法。
【請求項１１】
少なくとも１つのＩＴＥ型マイクロホンおよび少なくとも１つのＢＴＥ型マイクロホンを有するＢＴＥ型補聴器のパラメータを決定するための装置であって、
頭部伝達関数ＨＲＴＦｌ（ｆ）を決定し、
方向ｌに対する前記少なくとも１つのＩＴＥ型マイクロホンのｉ番目のマイクロホンの補聴器関連伝達関数Ｈｌ，ｉＩＥＣ（ｆ）を決定し、
前記少なくとも１つのＢＴＥ型マイクロホンのｊ番目のマイクロホンの補聴器関連伝達関数Ｈｌ，ｊＢＴＥＣ（ｆ）を決定し、
前記少なくとも１つのＩＴＥ型マイクロホンのオーディオ音声信号をフィルタリングする少なくとも１つのキューフィルタのｉ番目のキューフィルタの伝達関数ＧｉＩＥＣ（ｆ）を決定し、
前記少なくとも１つのＢＴＥ型マイクロホンのオーディオ音声信号をフィルタリングする前記少なくとも１つのキューフィルタのｊ番目のキューフィルタの伝達関数ＧｊＢＴＥＣ（ｆ）を決定するように構成された処理装置であって、
方程式に基づいて前記伝達関数ＧｉＩＥＣ（ｆ）および前記伝達関数ＧｊＢＴＥＣ（ｆ）を決定するように構成され、前記方程式は、空間的キューを含む前記伝達関数，Ｈｌ，ｉＩＥＣ（ｆ），Ｈｌ，ｊＢＴＥＣ（ｆ），ＧｉＩＥＣ（ｆ），および，ＧｊＢＴＥＣ（ｆ）に基づく、処理装置を含む、装置。
【請求項１２】
前記処理装置は、
前記少なくとも１つのＩＴＥ型マイクロホンの前記ｉ番目のマイクロホンと関連付けられたフィードバック経路の伝達関数ＨＦＢ，ｉＩＥＣ（ｆ）を決定し、
前記少なくとも１つのＢＴＥ型マイクロホンの前記ｊ番目のマイクロホンと関連付けられたフィードバック経路の伝達関数ＨＦＢ，ｊＢＴＥＣ（ｆ）を決定する
ようにさらに構成される、請求項１１に記載の装置。
【請求項１３】
前記処理装置は、
伝達関数ＨＦＢ，ｉＩＥＣ（ｆ）およびＨＦＢ，ｊＢＴＥＣ（ｆ）に基づく条件に従って、ＨＲＴＦｌ（ｆ），Ｈｌ，ｉＩＥＣ（ｆ），Ｈｌ，ｊＢＴＥＣ（ｆ），ＧｉＩＥＣ（ｆ），および，ＧｊＢＴＥＣ（ｆ）に基づく最小化問題の解を得ることによって、前記少なくとも１つのＩＴＥ型マイクロホンと関連付けられた前記少なくとも１つのキューフィルタのフィルタ係数、および、前記少なくとも１つのＢＴＥ型マイクロホンと関連付けられた前記少なくとも１つのキューフィルタのフィルタ係数を決定するようにさらに構成される、請求項１２に記載の装置。
【請求項１４】
前記処理装置は、ＨＲＴＦｌ（ｆ），Ｈｌ，ｉＩＥＣ（ｆ），Ｈｌ，ｊＢＴＥＣ（ｆ），ＧｉＩＥＣ（ｆ），ＧｊＢＴＥＣ（ｆ）ならびに伝達関数ＨＦＢ，ｉＩＥＣ（ｆ）およびＨＦＢ，ｊＢＴＥＣ（ｆ）に基づく最小化問題の解を得ることによって、前記少なくとも１つのＩＴＥ型マイクロホンと関連付けられた前記少なくとも１つのキューフィルタのフィルタ係数、および、前記少なくとも１つのＢＴＥ型マイクロホンと関連付けられた前記少なくとも１つのキューフィルタのフィルタ係数を決定するようにさらに構成される、請求項１２に記載の装置。
【請求項１５】
前記頭部伝達関数ＨＲＴＦｌ（ｆ）は、補聴器関連伝達関数Ｈｌ，ｒｅｆＩＴＥＣ（ｆ）に基づき、前記処理装置は、伝達関数ＨＦＢ，ｉＩＥＣ（ｆ）およびＨＦＢ，ｊＢＴＥＣ（ｆ）に基づく条件に従って、Ｈｌ，ｒｅｆＩＴＥＣ（ｆ），Ｈｌ，ｉＩＥＣ（ｆ），Ｈｌ，ｊＢＴＥＣ（ｆ），ＧｉＩＥＣ（ｆ），および，ＧｊＢＴＥＣ（ｆ）に基づく最小化問題の解を得ることによって、前記少なくとも１つのＩＴＥ型マイクロホンのオーディオ音声信号をフィルタリングする前記少なくとも１つのキューフィルタのフィルタ係数、および、前記少なくとも１つのＢＴＥ型マイクロホンのオーディオ音声信号をフィルタリングする前記少なくとも１つのキューフィルタのフィルタ係数を決定するように構成される、請求項１２に記載の装置。
【請求項１６】
前記頭部伝達関数ＨＲＴＦｌ（ｆ）は、補聴器関連伝達関数Ｈｌ，ｒｅｆＩＴＥＣ（ｆ）に基づき、前記処理装置は、Ｈｌ，ｒｅｆＩＴＥＣ（ｆ），Ｈｌ，ｉＩＥＣ（ｆ），Ｈｌ，ｊＢＴＥＣ（ｆ），ＧｉＩＥＣ（ｆ），ＧｊＢＴＥＣ（ｆ）ならびに伝達関数ＨＦＢ，ｉＩＥＣ（ｆ）およびＨＦＢ，ｊＢＴＥＣ（ｆ）に基づく最小化問題の解を得ることによって、前記少なくとも１つのＩＴＥ型マイクロホンのオーディオ音声信号をフィルタリングする前記少なくとも１つのキューフィルタのフィルタ係数、および、前記少なくとも１つのＢＴＥ型マイクロホンのオーディオ音声信号をフィルタリングする前記少なくとも１つのキューフィルタのフィルタ係数を決定するように構成される、請求項１２に記載の装置。
【請求項１７】
前記処理装置は、複数の使用者について、前記頭部伝達関数ＨＲＴＦｌ（ｆ），前記補聴器関連伝達関数Ｈｌ，ｉＩＥＣ（ｆ），および前記補聴器関連伝達関数Ｈｌ，ｊＢＴＥＣ（ｆ）を決定するように構成され、
前記処理装置は、前記複数の使用者の前記頭部伝達関数ＨＲＴＦｌ（ｆ）の平均値、前記補聴器関連伝達関数Ｈｌ，ｉＩＥＣ（ｆ）の平均値および前記補聴器関連伝達関数Ｈｌ，ｊＢＴＥＣ（ｆ）の平均値に基づいて、前記少なくとも１つのＢＴＥ型マイクロホンのオーディオ音声信号をフィルタリングする前記少なくとも１つのキューフィルタのフィルタ係数を決定するように構成される、請求項１１に記載の装置。
【請求項１８】
前記ＢＴＥ型補聴器は、複数の周波数チャネルを有し、
前記処理装置は、前記周波数チャネルの１つまたは複数において、前記少なくとも１つのＩＴＥ型マイクロホンのオーディオ音声信号をフィルタリングする前記少なくとも１つのキューフィルタのフィルタ係数、および、前記少なくとも１つのＢＴＥ型マイクロホンのオーディオ音声信号をフィルタリングする前記少なくとも１つのキューフィルタのフィルタ係数を決定するように構成される、請求項１１に記載の装置。
【請求項１９】
前記処理装置は、難聴補正が前記少なくとも１つのＩＴＥ型マイクロホンの出力にのみ実行されるように、前記周波数チャネルの１つまたは複数において前記少なくとも１つのＢＴＥ型マイクロホンを切断するようにさらに構成される、請求項１８に記載の装置。
【請求項２０】
前記処理装置は、前記少なくとも１つのＩＴＥ型マイクロホンのオーディオ音声信号をフィルタリングする前記少なくとも１つのキューフィルタによって、または、前記少なくとも１つのＢＴＥ型マイクロホンのオーディオ音声信号をフィルタリングする前記少なくとも１つのキューフィルタによって、または、それらの両方によって出力された、フィルタリングされたオーディオ音声信号の組み合わせに基づいて難聴補正済みの出力信号を生成するようにさらに構成される、請求項１１に記載の装置。
【発明の詳細な説明】
【技術分野】
【０００１】
補聴器の装着者に関連した音源定位の向上が得られる新規の補聴器が提供される。
【背景技術】
【０００２】
補聴器の使用者には、補聴器を装着していない時と比較して、補聴器を装着している際に音源定位能力が劣ることが報告されている。このことは、軽度から中等度の聴覚障害者にとっては深刻な問題を示している。
【０００３】
さらに、補聴器は通常、使用者が頭の中で定位されるべき音源を知覚するように音を再現する。音は、外在化されるのではなく、内在化されると考えられている。「騒音の中で会話を聞く問題」に関する補聴器使用者の共通の不満は、たとえ信号対雑音比（ＳＮＲ）が必要とされる会話明瞭度の提供に十分なものであったとしても、言われていることを理解することが非常に困難であるという点である。この事実に対する大きな寄与因子は、補聴器が内在化された音場を再現するという点である。これにより、補聴器使用者の認知的負荷が増大し、聞き取りによる疲労が生じ、最終的には、使用者が１つまたは複数の補聴器を取り外す結果となり得る。
【０００４】
従って、音源定位が向上した新規の補聴器に対するニーズが存在する。すなわち、新規の補聴器は、補聴器の装着者の頭部の配向に関連して音環境内の各音源の方向および距離の情報を保存する。
【０００５】
人間は、人の持つバイノーラル音声の定位能力を利用して、３次元空間で音源の検出および定位を行う。
【０００６】
聴覚への入力は、２つの信号、つまり、以下ではバイノーラル音声信号と称する、各鼓膜における音圧から成る。従って、ある空間的音場によって発生した鼓膜における音圧が、正確に鼓膜で再現されると、人の聴覚系は、再現された音と、空間的音場自体によって発生した実際の音とを区別できない。
【０００７】
人の聴覚系が音源に対する距離および方向に関する情報をどのように引き出すかは完全に分かってはいないが、人の聴覚系が、この決定において多数のキューを使用することは分かっている。それらのキューの中には、スペクトルキュー、残響キュー、両耳間時間差（ＩＴＤ）、両耳間位相差（ＩＰＤ）、および両耳間レベル差（ＩＬＤ）がある。
【０００８】
聞き手の左耳および右耳に関連してある方向および距離に位置する音源からの音波の伝達は、音色変化、両耳間時間差、および両耳間スペクトル差等の何らかの直線歪みを含む、２つの伝達関数（一方は左耳用で、他方は右耳用）の形で表現される。一方が左耳用で、他方が右耳用であるこのような２つの伝達関数のセットは、頭部伝達関数（ＨＲＴＦ）と呼ばれる。ＨＲＴＦの各伝達関数は、基準に対する、関係する外耳道内またはその付近の特定点において平面波によって発生した音圧ｐ（左の外耳道ではｐＬであり、右の外耳道ではｐＲである）の比として定義される。従来選択される基準は、聞き手が不在の状態で、頭部のちょうど真ん中の位置で平面波によって発生したであろう音圧ｐｌである。
【０００９】
ＨＲＴＦは、頭部の周囲の回折、肩からの反射、外耳道内の反射等を含む、聞き手の耳への音伝達に関連する全ての情報を含み、従って、ＨＲＴＦは、個人ごとに異なる。
【００１０】
以下では、ＨＲＴＦの伝達関数の１つを、便宜上、ＨＲＴＦとも称する。
【００１１】
補聴器関連の伝達関数は、ＨＲＴＦと同様に、つまり、平面波に応答して関係する外耳道内の特定点において補聴器によって発生した音圧ｐと、基準との比として定義される。従来選択される基準は、聞き手が不在の状態で、頭部のちょうど真ん中の位置で平面波によって発生したであろう音圧ｐｌである。
【００１２】
ＨＲＴＦは、聞き手の両耳に関連した音源の方向および距離と共に変化する。どのような方向および距離に関しても、ＨＲＴＦの測定が可能であり、例えば電子的に、例えばフィルタを用いて、ＨＲＴＦをシミュレーションすることが可能である。このようなフィルタが、テープレコーダ等の再生装置と、聞き手が使用するヘッドホンとの間の信号経路に挿入される場合、聞き手は、耳の中の音圧が実際通りに再現されるので、ヘッドホンによって生成された音が、対象となるＨＲＴＦをシミュレートするフィルタの伝達関数によって定義される距離および方向に位置する音源からのものであると知覚することができる。
【００１３】
空間的に符号化された情報を読み取る際の脳によるバイノーラル処理により、幾つかのプラスの効果、つまり、より良い信号対雑音比（ＳＮＲ）、到来方向（ＤＯＡ）推定、奥行き／距離知覚、および視覚系および聴覚系間の相乗効果が生じる。
【００１４】
耳の複雑な形状は、聞き手の個々の空間−スペクトルキュー（ＩＴＤ、ＩＬＤ、およびスペクトルキュー）の主な寄与因子である。従って、耳の後ろで音を拾う装置は、スペクトルに関する詳細のほとんどが失われる、またはかなり歪曲されるので、ＨＲＴＦの再現において不利である。
【００１５】
このことは、オープンイヤ、すなわち、閉塞されていない耳の角度−周波数スペクトルを示す図１及び図２に例示され、この測定（図１参照）は、同じ耳を用いた耳かけ型装置（ＢＴＥ）の前方マイクロホンにおける対応する測定（図２参照）と共に示される。図１に示すオープンイヤスペクトルは詳細であるが、図２に示すＢＴＥの結果は、はるかに不明瞭であり、スペクトルに関する詳細のほとんどが失われている。
【発明の概要】
【発明が解決しようとする課題】
【００１６】
従って、補聴器のマイクロホンを、使用者に到達した音の空間的キューが保存されるような補聴器を装着している使用者に関連した位置に配置させることが望ましい。例えば、耳に到達した音の空間的キューを保存するために、使用者の耳介の前の外耳に、例えば外耳道への入口に、または、外耳道の内部に、マイクロホンを配置することは、耳の後ろのマイクロホンを用いた場合に可能である程度と比較してかなり高程度に有利である。三角窩の下の耳介の前に配置されたマイクロホンは、空間的キューの保存に関して有利であるということも証明されている。
【００１７】
マイクロホンを外耳道への入口または外耳道内に位置決めすることにより、マイクロホンが補聴器の音声発生装置の近くに移動し、それによってフィードバックが生じる危険性が増し、今度は、補聴器に規定可能な最大安定利得が制限されるという問題が生じる。
【００１８】
この問題を解決する一般的な方法は、特注のモールドを用いて外耳道を完全に封鎖することである。しかしながら、これにより、閉塞効果並びに湿度および熱に関する快適性の問題が生じる。
【００１９】
比較のため、耳の後ろに配置される前方および後方マイクロホンを備えたＢＴＥ型補聴器、および外耳道内に配置されるオープンフィットのマイクロホンを備えた耳穴（ＩＴＥ）型補聴器の最大安定利得を図３に示す。ＩＴＥ型補聴器は、ほとんど全ての周波数に関して、前方および後方ＢＴＥ型マイクロホンと比較して、ずっと低い最大安定利得（ＭＳＧ）を有することが分かる。
【課題を解決するための手段】
【００２０】
新規の補聴器では、任意の構成のマイクロホンの出力信号は、空間的キューが保存され、補聴器の使用者に伝達されるように信号処理を受ける。出力信号は、空間的キューを保存するように構成されたフィルタを用いてフィルタリングされる。
【００２１】
新規の補聴器は、従来通り配置されるＢＴＥ型補聴器のマイクロホンに加えて、使用者の耳に到達し、音環境中の音源定位に関連する所望の空間情報を含む音を記録するために、使用中に、使用者の耳介の前の外耳、例えば外耳道か三角窩のすぐ下、において、または外耳道の内部に配置されるよう意図された少なくとも１つのＩＴＥ型マイクロホンを設けることにより、使用者に対して定位の向上を提供することができる。
【００２２】
新規の補聴器のプロセッサは、空間的キューが保存されるように、使用者の外耳における少なくとも１つのＩＴＥ型マイクロホンの出力信号を、従来通り配置されたＢＴＥ型補聴器の１つまたは複数のマイクロホンの１つまたは複数のマイクロホン信号と結合させる。
【００２３】
従って、
使用者の耳介の後ろに装着されるように構成されたＢＴＥ型補聴器ハウジングと、
ＢＴＥ型補聴器ハウジングに収容される、全方向性マイクロホン、指向性マイクロホン、埋め込み型補聴器用の変換器、テレコイル、デジタルオーディオデータストリームのレシーバ等の少なくとも１つのＢＴＥ型音声入力変換器であって、その各々が、音響音声を各オーディオ音声信号に変換するように構成される、少なくとも１つのＢＴＥ型音声入力変換器と、
使用者の外耳に配置されるように構成されたＩＴＥ型マイクロホンハウジングであって、その各々が、音響音声を各オーディオ音声信号に変換するように構成される、ＩＴＥ型マイクロホンハウジングに収容される少なくとも１つのＩＴＥ型マイクロホンを意図された位置に固定および保持するためのＩＴＥ型マイクロホンハウジングと、
少なくとも１つのキューフィルタであって、その各々が、少なくとも１つのＢＴＥ型音声入力変換器および少なくとも１つのＩＴＥ型マイクロホンのそれぞれからの出力信号が与えられる入力を有する、少なくとも１つのキューフィルタと、
少なくとも１つのキューフィルタによって出力されたフィルタリングされたオーディオ音声信号の結合に基づいて難聴補正済みの出力信号を生成するように構成されたプロセッサと、
音声信号伝送部材であって、音声信号伝送部材の第１の端部におけるＢＴＥ型補聴器ハウジングの音声出力から、音声信号伝送部材の第２の端部における使用者の外耳道への音声を示す信号の伝送を行うための音声信号伝送部材と、
使用者の外耳道内の意図された位置に音声信号伝送部材を固定および保持するために使用者の外耳道内に挿入されるように構成されたイヤピースと、
難聴補正済みの出力信号を人の聴覚系が受け取り可能な聴覚出力信号に変換するための出力変換器と、
を含み、
プロセッサは、難聴補正済みの出力信号が、空間的キュー（少なくとも１つのＩＴＥ型マイクロホンによって記録された、または少なくとも１つのＩＴＥ型マイクロホンおよび少なくとも１つのＢＴＥ型音声入力変換器の結合によって記録された空間的キュー等）を実質的に保存するように、少なくとも１つのＩＴＥ型マイクロホンおよび少なくとも１つのＢＴＥ型音声入力変換器の出力信号を処理するようにさらに構成された、
新規の補聴器が提供される。
【００２４】
新規の補聴器は、処理される信号が複数の周波数チャネルに分割され、信号が各周波数チャネルにおいて個別に処理されるマルチチャネル補聴器でもよい。
【００２５】
プロセッサは、難聴補正済みの出力信号が選択された周波数帯域で空間的キューを実質的に保存するように、少なくとも１つのＩＴＥ型マイクロホンおよび少なくとも１つのＢＴＥ型音声入力変換器の出力信号を処理するように構成されてもよい。
【００２６】
選択された周波数帯域は、周波数チャネルの内の１つまたは複数、あるいは、全ての周波数チャネルを含んでいてもよい。選択された周波数帯域は、断片化が行われてもよい、すなわち、選択された周波数帯域は、連続した周波数チャネルを含む必要がない。
【００２７】
複数の周波数チャネルは、ワーピングされた周波数チャネルを含むことが可能で、例えば、全ての周波数チャネルがワーピングされた周波数チャネルでもよい。
【００２８】
選択された周波数帯域外では、少なくとも１つのＩＴＥ型マイクロホンが、従来のように入力源として補聴器のプロセッサに接続されてもよく、周知の方法で補聴器のプロセッサと連携してもよい。
【００２９】
このように、少なくとも１つのＩＴＥ型マイクロホンは、この構成を用いて所望の利得を補聴器が提供可能な周波数で、補聴器に入力を供給する。この構成を用いて所望の利得を補聴器が提供できない選択された周波数帯域内においては、ＢＴＥ型補聴器ハウジングのマイクロホンが、上記に開示したような信号処理に含まれる。このように、少なくとも１つのＩＴＥ型マイクロホンによって提供される音環境に関する空間情報を維持すると同時に、利得を増加させることができる。
【００３０】
補聴器は、例えば、プロセッサ入力と少なくとも１つのＩＴＥ型マイクロホンとの間に接続される第１のフィルタ、および、プロセッサ入力と少なくとも１つのＢＴＥ型音声入力変換器の結合出力との間に接続される第２の相補型フィルタを含んでいてもよく、これらのフィルタは、相補的な周波数帯域の周波数の通過および遮断を行い、少なくとも１つのＩＴＥ型マイクロホンおよび少なくとも１つのＢＴＥ型音声入力変換器の結合出力の一方が、１つの周波数帯域でプロセッサ入力に供給される入力信号の主要部分を構成し、少なくとも１つのＩＴＥ型マイクロホンおよび少なくとも１つのＢＴＥ型音声入力変換器の結合出力の他方は、相補的な周波数帯域でプロセッサ入力に供給される入力信号の主要部分を構成するようにする。
【００３１】
この場合、少なくとも１つのＩＴＥ型マイクロホンは、難聴補正に必要とされる利得は、少なくとも１つのＩＴＥ型マイクロホンの出力信号に適用可能な周波数帯域において、プロセッサへの唯一の入力源として用いることができる。この周波数帯域外では、必要とされる利得を提供するために、少なくとも１つのＢＴＥ型音声入力変換器の結合出力信号は、信号プロセッサに印加される。
【００３２】
本開示全体を通して、「少なくとも１つのＩＴＥ型マイクロホンの出力信号」という用語は、少なくとも１つのＩＴＥ型マイクロホンの出力からプロセッサの入力までの信号経路の一部を形成するアナログまたはデジタル信号を指すために使用されることがあり、前処理済みの少なくとも１つのＩＴＥ型マイクロホンの前処理済み出力信号を含む。
【００３３】
同様に、「少なくとも１つのＢＴＥ型音声入力変換器の出力信号」という用語は、少なくとも１つのＢＴＥ型音声入力変換器からプロセッサの入力までの信号経路の一部を形成するアナログまたはデジタル信号を指すために使用されることがあり、少なくとも１つのＢＴＥ型音声入力変換器の前処理済み出力信号を含む。
【００３４】
好ましくは、少なくとも１つのＩＴＥ型マイクロホンは、入ってくる音に応じて生成される少なくとも１つのＩＴＥ型マイクロホンの出力信号が、使用者のＨＲＴＦの良好な近似を成す伝達関数を有するように配置される。プロセッサは、プロセッサの難聴補正済みの出力信号もまた、使用者のＨＲＴＦの良好な近似を成す伝達関数を獲得し、それによって、定位の向上が使用者にもたらされるように、少なくとも１つのＩＴＥ型マイクロホンの出力信号に含まれる方向に関する情報を、結果として得られるプロセッサの難聴補正済みの出力信号に伝達する。
【００３５】
ＢＴＥ（耳かけ）型補聴器は、当該分野では周知のものである。ＢＴＥ型補聴器は、使用者の耳介の後ろに装着されるように成形されたＢＴＥ型ハウジングを有する。ＢＴＥ型ハウジングは、難聴補正用の構成要素を収容する。音声信号伝送部材、すなわち、音響管または導電体は、ＢＴＥ型ハウジングから使用者の外耳道内へと難聴補正済みの音声を表す信号を伝送する。
【００３６】
音声信号伝送部材を使用者の外耳道の入口にしっかりと快適に配置させるためには、オープンソリューションを構成する、使用者の外耳道内に挿入するためのイヤピース、シェル、またはイヤモールドを提供することができる。オープンソリューションでは、イヤピース、シェル、またはイヤモールドは、外耳道内の意図された動作位置に配置されたときに、外耳道を塞ぐことがない。より正確に言えば、イヤピース、シェル、またはイヤモールドを通る、または、外耳道壁の一部と、イヤピース、シェル、またはイヤモールドの一部との間に通路が存在し、それによって、鼓膜とイヤピース、シェル、またはイヤモールドとの間の、イヤピース、シェル、またはイヤモールドの後方から、通路を通って、使用者の周囲へと音波が抜け出ることが可能となる。このように、閉塞効果は、実質的に取り除かれる。
【００３７】
一般的に、イヤピース、シェル、またはイヤモールドは、使用者の耳にフィットして、音声信号伝送部材を外耳道内の意図された位置に十分固定し、例えば使用者が顎を動かした際にイヤピースが耳から抜け落ちることがないように、個別にオーダーメイドされる、または多数の標準サイズで製造される。
【００３８】
出力変換器は、ＢＴＥ型補聴器ハウジング内に配置されるレシーバでもよい。この場合、音声信号伝送部材は、音響管であって、音響音声信号をＢＴＥ型補聴器ハウジング内に配置されたレシーバから音響管を通して使用者の外耳道内に配置および保持されたイヤピースまで伝搬させ、外耳道内の鼓膜へと音響音声信号を伝送する出力ポートを備えた音響管を含む。
【００３９】
出力変換器は、イヤピース内に配置されるレシーバでもよい。この場合、音声信号伝送部材は、導電体であって、ＢＴＥ型補聴器ハウジング内のプロセッサの出力から、導体を通して、イヤピース内に配置されており、イヤピースの出力ポートから音を発生させるレシーバへとオーディオ音声信号を伝搬させる導電体を含む。
【００４０】
少なくとも１つのＩＴＥ型マイクロホンを収容するＩＴＥ型マイクロホンハウジングは、イヤピースが外耳道内の意図された位置に固定された際に少なくとも１つのマイクロホンが外耳道の入口近くに配置されるように、イヤピースと一体化される、またはイヤピースによって構成されてもよい。
【００４１】
ＩＴＥ型マイクロホンハウジングは、使用者の外耳内でその位置を保持するために、耳介の内側、例えば、対耳輪に隣接する耳甲介の周囲に配置され、かつ、少なくとも部分的に対耳輪によって覆われることが意図されたアーム、場合により、可撓性アームを用いてイヤピースに接続されてもよい。アームは、製造時に、アームが耳介の意図された位置へと簡単にフィットするように、好ましくは、対耳輪の曲率より僅かに大きな曲率を有するアーチ形状に予め成形することができる。一例では、アームは、三角窩の真下の動作位置での少なくとも１つのＩＴＥ型マイクロホンの位置決めを容易にする長さおよび形状を有する。
【００４２】
プロセッサは、ＢＴＥ型補聴器ハウジング内またはイヤピース内に収容されてもよく、あるいは、プロセッサの一部が、ＢＴＥ型補聴器ハウジング内に収容され、かつプロセッサの一部が、イヤピース内に収容されてもよい。ＢＴＥ型補聴器ハウジングの回路とイヤピースの回路との間に、片方向または双方向の通信リンクが存在する。このリンクは、有線または無線でもよい。
【００４３】
同様に、ＢＴＥ型補聴器ハウジングの回路と少なくとも１つのＩＴＥ型マイクロホンの回路との間に、片方向または双方向の通信リンクが存在する。このリンクは、有線または無線でもよい。
【００４４】
プロセッサは、補聴器の最適な空間的性能のために音環境の空間情報を維持すると同時に、可能な限り大きな最大安定利得を提供しながら、難聴補正を行うように動作する。
【００４５】
新規の補聴器では、任意の構成のマイクロホンの出力信号は、空間的キューが保存され、補聴器の使用者に伝達されるように信号処理を受ける。出力信号は、空間的キューを保存するように構成されたフィルタを用いてフィルタリングされる。
【００４６】
例えば、新規の補聴器では、
ＢＴＥ型補聴器に関する方向ｌのセットに対する、
空間的キューを含む伝達関数、
方向ｌに対する少なくとも１つのＩＴＥ型マイクロホンのｉ番目のマイクロホンの補聴器関連伝達関数Ｈｌ，ｉＩＥＣ（ｆ）、および、
少なくとも１つのＢＴＥ型マイクロホンのｊ番目のマイクロホンの補聴器関連伝達関数Ｈｌ，ｊＢＴＥＣ（ｆ）、を決定するステップと、
少なくとも１つのＩＴＥ型マイクロホンのｉ番目のマイクロホンと関連付けられたフィードバック経路の伝達関数ＨＦＢ，ｉＩＥＣ（ｆ）を決定するステップと、
少なくとも１つのＢＴＥ型音声入力変換器のｊ番目のマイクロホンと関連付けられたフィードバック経路の伝達関数ＨＦＢ，ｊＢＴＥＣ（ｆ）を決定するステップと、
少なくとも１つのＩＴＥ型マイクロホンのオーディオ音声信号をフィルタリングする少なくとも１つのキューフィルタのｉ番目のキューフィルタの伝達関数ＧｉＩＥＣ（ｆ）を決定するステップと、
ＨＲＴＦｌ（ｆ），Ｈｌ，ｉＩＥＣ（ｆ），Ｈｌ，ｊＢＴＥＣ（ｆ），ＧｉＩＥＣ（ｆ），および，ＧｊＢＴＥＣ（ｆ）に基づく最小化問題の解を得ることによって、少なくとも１つのＢＴＥ型マイクロホンのオーディオ音声信号をフィルタリングする少なくとも１つのキューフィルタのｊ番目のキューフィルタの伝達関数ＧｊＢＴＥＣ（ｆ）を決定するステップと、
を含む方法を実行することができる。
【００４７】
空間的キューを含む伝達関数は、頭部伝達関数ＨＲＴＦｌ（ｆ）でもよい。最小化問題は、
【数１】
2014140162.tif 000003
によって与えられてもよい。式中、ｐは、例えば、ｐ＝２等の整数であり、ＨＲＴＦｌ（ｆ）は、頭部伝達関数または空間的キューを含む他の伝達関数である。
【００４８】
最小化問題は、条件に従って解を得ることができる。条件は、ＨＦＢ，ｉＩＥＣ（ｆ）の１つもしくは複数および／またはＨＦＢ，ｊＢＴＥＣ（ｆ）の１つもしくは複数に基づいてもよい。条件は、最大安定利得に基づいてもよい。
【００４９】
フィードバックは、フィードバックループの利得が１未満でなければならないという条件に従って、すなわち、
【数２】
2014140162.tif 000004
の条件に従って、上記の最小化問題の解を実行することによって、考慮することができる。式中、ＭＳＧ（ｆ）は、最大安定利得である。
【００５０】
また、フィードバック安定も、最小化問題に条件を組み込むことによって保証することができる。従って、最小化問題は、ＨＦＢ，ｉＩＥＣ（ｆ）の１つもしくは複数および／またはＨＦＢ，ｊＢＴＥＣ（ｆ）の１つもしくは複数に基づいてもよい。最小化問題は、
【数３】
2014140162.tif 000005
によって与えられてもよい。式中、αは、空間的キュー精度およびフィードバック性能のバランスをとる重み付け係数である。
【００５１】
様々な重みを上記の最小化問題に組み込んで、重みの値が規定するように、解を最適化することができる。例えば、周波数重みＷ（ｆ）は、特定の１つまたは複数の周波数範囲において、解を最適化することができ、角度重みＷ（ｌ）は、音の特定の到来方向に対して、解を最適化することができる。
【００５２】
従って、最小化問題は、周波数重みＷ（ｆ）および／または角度重みＷ（ｌ）等の１つまたは複数の重みに基づいてもよい。
【００５３】
従って、最小化問題は、変形可能であり、
【数４】
2014140162.tif 000006
によって与えられてもよい。例えば、ＨＦＢ，ｉＩＥＣ（ｆ）の１つもしくは複数および／またはＨＦＢ，ｊＢＴＥＣ（ｆ）の１つもしくは複数に基づいて、条件が与えられている。条件は、最大安定利得に基づいてもよい。条件は、
【数５】
2014140162.tif 000007
によって与えられてもよい。
【００５４】
また、フィードバック安定性も、最小化問題に条件を組み込むことによって保証することができる。従って、最小化問題は、ＨＦＢ，ｉＩＥＣ（ｆ）の１つもしくは複数および／またはＨＦＢ，ｊＢＴＥＣ（ｆ）の１つもしくは複数に基づいてもよい。最小化問題は、
【数６】
2014140162.tif 000008
によって与えられてもよく、式中、αは、空間的キュー精度およびフィードバック性能のバランスをとる重み付け係数である。
【００５５】
さらに、１つまたは複数の選択された周波数範囲において、最小化の間、位相は無視して、伝達関数の大きさのみを考慮に入れてもよい。すなわち、１つまたは複数の選択された周波数範囲において、伝達関数は、その絶対値で置き換えられる。
【００５６】
対象伝達関数は、様々な方向ｌに対して、ＨＲＴＦによって定義される必要はない。空間的キューを含むどのような伝達関数も、対象伝達関数として使用することができる。
【００５７】
例えば、少なくとも１つのＩＴＥ型マイクロホンのうちのＩＴＥマイクロホンの１つは、ＩＴＥ型マイクロホンの伝達関数が使用者のＨＲＴＦに近似するような使用者に関する位置に配置してもよい。これによって、上記の最小化問題のＨＲＴＦｌ（ｆ）を、対象となるＩＴＥ型マイクロホンの伝達関数Ｈｌ，ｒｅｆＩＴＥＣ（ｆ）で置き換えることができる。
【数７】
2014140162.tif 000009
上記の最小化問題は、例えば、ＨＦＢ，ｉＩＥＣ（ｆ）の１つもしくは複数および／またはＨＦＢ，ｊＢＴＥＣ（ｆ）の１つもしくは複数に基づいて、例えば、条件が与えられている。条件は、最大安定利得に基づいてもよい。条件は、
【数８】
2014140162.tif 000010
によって与えられてもよい。
【００５８】
また、フィードバック安定性も、最小化問題に条件を組み込むことによって保証してもよい。従って、最小化問題は、ＨＦＢ，ｉＩＥＣ（ｆ）の１つもしくは複数および／またはＨＦＢ，ｊＢＴＥＣ（ｆ）の１つもしくは複数に基づいてもよい。最小化問題は、
【数９】
2014140162.tif 000011
によって与えられてもよい。式中、αは、空間的キュー精度およびフィードバック性能のバランスをとる重み付け係数である。
【００５９】
少なくとも１つのＩＴＥ型マイクロホンのそれぞれの出力信号は、前処理が行われてもよい。
【００６０】
少なくとも１つのＢＴＥ型音声入力変換器のそれぞれの出力信号は、前処理が行われてもよい。
【００６１】
前処理には、いずれの形態の処理も除外されることなく、適応および／または静的なフィードバック抑制、適応または固定ビーム形成、およびプレフィルタリングが含まれてもよい。
【００６２】
少なくとも１つのＩＴＥ型マイクロホンは、現在の音環境の所望の空間情報を備えた電子音声信号の生成を行う１つまたは複数のモニタマイクロホンとして動作してもよい。
【００６３】
少なくとも１つのＢＴＥ型音声入力変換器および少なくとも１つのＩＴＥ型マイクロホンの各出力信号は、キューフィルタのそれぞれを用いてフィルタリングされ、その伝達関数は、使用者のＨＲＴＦに可能な限り近く近似する伝達関数を有するキューフィルタの結合出力信号を提供するように構成される。
【００６４】
キューフィルタリングに続いて、キューフィルタの結合出力信号は、例えば圧縮器を用いて、さらなる難聴補正処理に回される。このように、少なくとも１つのＢＴＥ型音声入力変換器および少なくとも１つのＩＴＥ型マイクロホンからの信号は、難聴補正前に適切に処理され、それによって、出力変換器から、少なくとも１つのＩＴＥ型マイクロホンおよび少なくとも１つのＢＴＥ型音声入力変換器へのフィードバックのリスクが最小限に抑えられ、大きな最大安定利得を提供することができる。
【００６５】
補聴器が人工頭部上に取り付けられた状態で、新規の補聴器に関する方向ｌのセットに対する、
・  頭部伝達関数ＨＲＴＦｌ（ｆ）
・  少なくとも１つのＩＴＥ型マイクロホンのそれぞれの補聴器関連伝達関数Ｈｌ，ｉＩＥＣ（ｆ）、および、
・  少なくとも１つのＢＴＥ型マイクロホンのそれぞれの補聴器関連伝達関数Ｈｌ，ｊＢＴＥＣ（ｆ）
の決定が実行されてもよい。
【００６６】
選択された使用者グループを示す複数の使用者について個別的に、新規の補聴器に関する方向ｌのセットに対する、
・  頭部伝達関数ＨＲＴＦｌ（ｆ）
・  少なくとも１つのＩＴＥ型マイクロホンのそれぞれの補聴器関連伝達関数Ｈｌ，ｉＩＥＣ（ｆ）、および、
・  少なくとも１つのＢＴＥ型マイクロホンのそれぞれの補聴器関連伝達関数Ｈｌ，ｊＢＴＥＣ（ｆ）
の決定が実行されてもよく、少なくとも１つのＢＴＥ型音声変換器のそれぞれの少なくとも１つのキューフィルタの伝達関数ＧｊＢＴＥＣ（ｆ）は、選択された使用者グループを示す複数の使用者の
・  頭部伝達関数ＨＲＴＦｌ（ｆ）
・  少なくとも１つのＩＴＥ型マイクロホンのそれぞれの補聴器関連伝達関数Ｈｌ，ｉＩＥＣ（ｆ）、および、
・  少なくとも１つのＢＴＥ型マイクロホンのそれぞれの補聴器関連伝達関数Ｈｌ，ｊＢＴＥＣ（ｆ）
の平均値に基づいて決定されてもよい。
【００６７】
従って、少なくとも１つのＩＴＥ型マイクロホンのそれぞれの少なくとも１つのキューフィルタＧｉＩＥＣ（ｆ）および少なくとも１つのＢＴＥ型音声変換器のそれぞれの少なくとも１つのキューフィルタＧｊＢＴＥＣ（ｆ）は、以下のステップによって決定されてもよい。
個々の使用者が補聴器を装着した状態で：
１）頭部伝達関数ＨＲＴＦｌ（ｆ），補聴器関連伝達関数Ｈｌ，ｉＩＥＣ（ｆ），および補聴器関連伝達関数Ｈｌ，ｊＢＴＥＣ（ｆ）を測定する。
２）少なくとも１つのＩＴＥ型マイクロホンのｉ番目のマイクロホンと関連付けられたフィードバック経路の伝達関数ＨＦＢ，ｉＩＥＣ（ｆ）、および、少なくとも１つのＢＴＥ型音声入力変換器のｊ番目のマイクロホンと関連付けられたフィードバック経路の伝達関数ＨＦＢ，ｊＢＴＥＣ（ｆ）を測定する。
３）上記で述べられている最小化問題のうちの選択されたものの解を得ることによって、少なくとも１つのＩＴＥ型マイクロホンのそれぞれの少なくとも１つのキューフィルタＧｉＩＥＣ（ｆ）、および、少なくとも１つのＢＴＥ型音声変換器のそれぞれの少なくとも１つのキューフィルタＧｊＢＴＥＣ（ｆ）を決定する。
【００６８】
上記の測定の一部は、個々の使用者で実行する必要はなく、むしろ、共通して特定の特性を有する多くの人間、例えば、特定の年齢層、集団等の内の人間に対する、個別の測定に良い近似を成す測定を実行されてもよい。
共通して特定の特性を有する複数の使用者に対しては：
１）補聴器が、例えば複数の異なるサイズの耳についての人工頭部上に取り付けられた状態で、または、複数の人間が補聴器を装着した状態で、頭部伝達関数ＨＲＴＦｌ（ｆ），補聴器関連伝達関数Ｈｌ，ｉＩＥＣ（ｆ），および補聴器関連伝達関数Ｈｌ，ｊＢＴＥＣ（ｆ）を測定する。
２）対象となる集団に対して、例えば、１つは大きな耳の集団に対して、１つは小さな耳の集団に対して等、頭部伝達関数ＨＲＴＦｌ（ｆ），補聴器関連伝達関数Ｈｌ，ｉＩＥＣ（ｆ），および補聴器関連伝達関数Ｈｌ，ｊＢＴＥＣ（ｆ）の平均値を決定する。
個々の使用者に対しては：
３）個々の使用者が補聴器を装着した状態で：少なくとも１つのＩＴＥ型マイクロホンのｉ番目のマイクロホンと関連付けられたフィードバック経路の伝達関数ＨＦＢ，ｉＩＥＣ（ｆ）、および、少なくとも１つのＢＴＥ型音声入力変換器のｊ番目のマイクロホンと関連付けられたフィードバック経路の伝達関数ＨＦＢ，ｊＢＴＥＣ（ｆ）を測定する。
４）上記で述べられている最小化問題のうちの選択されたものの解を得ることによって、少なくとも１つのＩＴＥ型マイクロホンのそれぞれの少なくとも１つのキューフィルタＧｉＩＥＣ（ｆ）、および、少なくとも１つのＢＴＥ型音声変換器のそれぞれの少なくとも１つのキューフィルタＧｊＢＴＥＣ（ｆ）を決定する。
【００６９】
オーディオ音声信号は、複数の周波数チャネルに分割されてもよく、また、個別の周波数チャネルにおいて個別に処理されてもよく、
・  少なくとも１つのＩＴＥ型マイクロホンのそれぞれの少なくとも１つのキューフィルタの伝達関数ＧｉＩＥＣ（ｆ）
・  少なくとも１つのＢＴＥ型音声変換器のそれぞれの少なくとも１つのキューフィルタの伝達関数ＧｊＢＴＥＣ（ｆ）
は、選択された周波数チャネルにおいて個別に決定されてもよい。
【００７０】
少なくとも１つのＢＴＥ型マイクロホンは、１つまたは複数の選択された周波数チャネルにおいて難聴補正が少なくとも１つのＩＴＥ型マイクロホンの出力上にのみ実行されるように、１つまたは複数の選択された周波数チャネルにおいてプロセッサから切断されてもよい。
【００７１】
本明細書において使用される、「プロセッサ」、「信号プロセッサ」、「制御装置」、「システム」等の用語（いずれも「制御手段」の一例であると考えられる）は、ハードウェア、ハードウェアおよびソフトウェアの組み合わせ、ソフトウェア、または実行中のソフトウェアのいずれかのＣＰＵ関連の構成要素を指すように意図されたものである。
【００７２】
例えば、「プロセッサ」、「信号プロセッサ」、「制御装置」、「システム」等は、プロセッサで実行中のプロセス、プロセッサ、オブジェクト、実行ファイル、実行スレッド、および／またはプログラムでもよいが、それらに限定されることはない。
【００７３】
例として、「プロセッサ」、「信号プロセッサ」、「制御装置」、「システム」等の用語は、プロセッサで実行中のアプリケーションおよびハードウェアプロセッサの両方を指す。１つまたは複数の「プロセッサ」、「信号プロセッサ」、「制御装置」、「システム」等、またはそれらのどのような組み合わせも、プロセスおよび／または実行スレッド内に存在してもよく、１つまたは複数の「プロセッサ」、「信号プロセッサ」、「制御装置」、「システム」等、またはそれらのどのような組み合わせも、１つのハードウェアプロセッサ上に、場合によっては、他のハードウェア回路との組み合わせで局在してもよく、および／または２つ以上のハードウェアプロセッサ間で、場合によっては、他のハードウェア回路との組み合わせで分配されてもよい。
【００７４】
少なくとも１つのＩＴＥ型マイクロホンおよび少なくとも１つのＢＴＥ型マイクロホンを有するＢＴＥ型補聴器のパラメータを決定する方法であって、頭部伝達関数ＨＲＴＦｌ（ｆ）または空間的キューを含む他の伝達関数を決定するステップと、方向ｌに対する少なくとも１つのＩＴＥ型マイクロホンのｉ番目のマイクロホンの補聴器関連伝達関数Ｈｌ，ｉＩＥＣ（ｆ）を決定するステップと、少なくとも１つのＢＴＥ型マイクロホンのｊ番目のマイクロホンの補聴器関連伝達関数Ｈｌ，ｊＢＴＥＣ（ｆ）を決定するステップと、少なくとも１つのＩＴＥ型マイクロホンのオーディオ音声信号をフィルタリングする少なくとも１つのキューフィルタのｉ番目のキューフィルタの伝達関数ＧｉＩＥＣ（ｆ）を決定するステップと、少なくとも１つのＢＴＥ型マイクロホンのオーディオ音声信号をフィルタリングする少なくとも１つのキューフィルタのｊ番目のキューフィルタの伝達関数ＧｊＢＴＥＣ（ｆ）を決定するステップとを含み、伝達関数ＧｉＩＥＣ（ｆ）および伝達関数ＧｊＢＴＥＣ（ｆ）は、方程式に基づいて処理装置を使用して決定される、方法。方程式は、空間的キューを含む伝達関数、例えば、ＨＲＴＦｌ（ｆ）に基づいてもよい。方程式は、Ｈｌ，ｉＩＥＣ（ｆ），Ｈｌ，ｊＢＴＥＣ（ｆ），ＧｉＩＥＣ（ｆ），および，ＧｊＢＴＥＣ（ｆ）に基づいてもよく、最小化問題、例えば：
【数１０】
2014140162.tif 000012
として与えられてもよい。式中、Ｗ（ｌ）は、角度重み付け係数であり、Ｗ（ｆ）は、周波数依存性重み付け係数であり、ｐは、正の整数であり、ＨＲＴＦｌ（ｆ）は、頭部伝達関数または空間的キューを含む他の伝達関数である。
【００７５】
場合により、本方法は、少なくとも１つのＩＴＥ型マイクロホンのｉ番目のマイクロホンと関連付けられたフィードバック経路の伝達関数ＨＦＢ，ｉＩＥＣ（ｆ）を決定するステップ、および／または、少なくとも１つのＢＴＥ型マイクロホンのｊ番目のマイクロホンと関連付けられたフィードバック経路の伝達関数ＨＦＢ，ｊＢＴＥＣ（ｆ）を決定するステップをさらに含んでいてもよい。
【００７６】
場合により、本方法は、条件に従って最小化問題の解を得ることによって、少なくとも１つのＩＴＥ型マイクロホンと関連付けられた少なくとも１つのキューフィルタのフィルタ係数、および、少なくとも１つのＢＴＥ型マイクロホンと関連付けられた少なくとも１つのキューフィルタのフィルタ係数を決定するステップをさらに含んでいてもよい。最小化問題は、条件に従って、
【数１１】
2014140162.tif 000013
によって与えられてもよい。条件は、ＨＦＢ，ｉＩＥＣ（ｆ）の１つもしくは複数および／またはＨＦＢ，ｊＢＴＥＣ（ｆ）の１つもしくは複数に基づいてもよい。条件は、最大安定利得に基づいてもよい。条件は、
【数１２】
2014140162.tif 000014
によって与えられてもよい。式中、ＭＳＧ（ｆ）は、最大安定利得である。
【００７７】
また、フィードバック安定性も、最小化問題に条件を組み込むことによって保証されてもよい。場合により、本方法は、場合によりＨＦＢ，ｉＩＥＣ（ｆ）の１つもしくは複数および／またはＨＦＢ，ｊＢＴＥＣ（ｆ）の１つもしくは複数に基づいて、最小化問題によって、少なくとも１つのＩＴＥ型マイクロホンと関連付けられた少なくとも１つのキューフィルタのフィルタ係数、および、少なくとも１つのＢＴＥ型マイクロホンと関連付けられた少なくとも１つのキューフィルタのフィルタ係数を決定するステップをさらに含んでいてもよい。最小化問題は、
【数１３】
2014140162.tif 000015
によって与えられてもよい。式中、αは、空間的キュー精度およびフィードバック性能のバランスをとる重み付け係数である。
【００７８】
場合により、頭部伝達関数ＨＲＴＦｌ（ｆ）は、補聴器関連伝達関数Ｈｌ，ｒｅｆＩＴＥＣ（ｆ）を使用して決定され、少なくとも１つのＩＴＥ型マイクロホンのオーディオ音声信号をフィルタリングする少なくとも１つのキューフィルタのフィルタ係数、および、少なくとも１つのＢＴＥ型マイクロホンのオーディオ音声信号をフィルタリングする少なくとも１つのキューフィルタのフィルタ係数は、方程式の解を得ることによって決定される。方程式は、条件が与えられた最小化問題でもよい。最小化問題は、条件に従って、
【数１４】
2014140162.tif 000016
によって与えられてもよい。条件は、ＨＦＢ，ｉＩＥＣ（ｆ）の１つもしくは複数および／またはＨＦＢ，ｊＢＴＥＣ（ｆ）の１つもしくは複数に基づいてもよい。条件は、最大安定利得に基づいてもよい。条件は、
【数１５】
2014140162.tif 000017
によって与えられてもよい。式中、ＭＳＧ（ｆ）は、最大安定利得である。
【００７９】
場合により、頭部伝達関数ＨＲＴＦｌ（ｆ）は、補聴器関連伝達関数Ｈｌ，ｒｅｆＩＴＥＣ（ｆ）を使用して決定され、少なくとも１つのＩＴＥ型マイクロホンのオーディオ音声信号をフィルタリングする少なくとも１つのキューフィルタのフィルタ係数、および、少なくとも１つのＢＴＥ型マイクロホンのオーディオ音声信号をフィルタリングする少なくとも１つのキューフィルタのフィルタ係数は、場合によりＨＦＢ，ｉＩＥＣ（ｆ）の１つもしくは複数および／またはＨＦＢ，ｊＢＴＥＣ（ｆ）の１つもしくは複数に基づいて、最小化問題等の方程式の解を得ることによって決定される。最小化問題は、
【数１６】
2014140162.tif 000018
によって与えられてもよい。式中、αは、空間的キュー精度およびフィードバック性能のバランスをとる重み付け係数である。
【００８０】
場合により、頭部伝達関数ＨＲＴＦｌ（ｆ），補聴器関連伝達関数Ｈｌ，ｉＩＥＣ（ｆ），および補聴器関連伝達関数Ｈｌ，ｊＢＴＥＣ（ｆ）を決定する動作は、補聴器が人工頭部上に取り付けられた状態で実行される。
【００８１】
場合により、頭部伝達関数ＨＲＴＦｌ（ｆ），補聴器関連伝達関数Ｈｌ，ｉＩＥＣ（ｆ），および補聴器関連伝達関数Ｈｌ，ｊＢＴＥＣ（ｆ）を決定する動作は、複数の使用者について実行され、少なくとも１つのＢＴＥ型マイクロホンのオーディオ音声信号をフィルタリングする少なくとも１つのキューフィルタのフィルタ係数は、複数の使用者の頭部伝達関数ＨＲＴＦｌ（ｆ）の平均値、補聴器関連伝達関数Ｈｌ，ｉＩＥＣ（ｆ）の平均値および補聴器関連伝達関数Ｈｌ，ｊＢＴＥＣ（ｆ）の平均値に基づいて決定される。
【００８２】
場合により、補聴器は、複数の周波数チャネルを有し、少なくとも１つのＩＴＥ型マイクロホンのオーディオ音声信号をフィルタリングする少なくとも１つのキューフィルタのフィルタ係数、および、少なくとも１つのＢＴＥ型マイクロホンのオーディオ音声信号をフィルタリングする少なくとも１つのキューフィルタのフィルタ係数は、周波数チャネルの１つまたは複数において決定される。
【００８３】
場合により、本方法は、難聴補正が少なくとも１つのＩＴＥ型マイクロホンの出力にのみ実行されるように、周波数チャネルの１つまたは複数において少なくとも１つのＢＴＥ型マイクロホンを切断するステップをさらに含んでいてもよい。
【００８４】
場合により、本方法は、少なくとも１つのＩＴＥ型マイクロホンのオーディオ音声信号をフィルタリングする少なくとも１つのキューフィルタによって、または、少なくとも１つのＢＴＥ型マイクロホンのオーディオ音声信号をフィルタリングする少なくとも１つのキューフィルタによって、または、それらの両方によって出力された、フィルタリングされたオーディオ音声信号の組み合わせに基づいて難聴補正済みの出力信号を生成するステップをさらに含んでいてもよい。
【００８５】
場合により、Ｗ（ｌ）＝１であってもよい。
【００８６】
場合により、Ｗ（ｆ）＝１であってもよい。
【００８７】
場合により、ｐ＝２であってもよい。
【００８８】
少なくとも１つのＩＴＥ型マイクロホンおよび少なくとも１つのＢＴＥ型マイクロホンを有するＢＴＥ型補聴器のパラメータを決定するための装置は、頭部伝達関数ＨＲＴＦｌ（ｆ）または空間的キューを含む他の伝達関数を決定し、方向ｌに対する少なくとも１つのＩＴＥ型マイクロホンのｉ番目のマイクロホンの補聴器関連伝達関数Ｈｌ，ｉＩＥＣ（ｆ）を決定し、少なくとも１つのＢＴＥ型マイクロホンのｊ番目のマイクロホンの補聴器関連伝達関数Ｈｌ，ｊＢＴＥＣ（ｆ）を決定し、少なくとも１つのＩＴＥ型マイクロホンのオーディオ音声信号をフィルタリングする少なくとも１つのキューフィルタのｉ番目のキューフィルタの伝達関数ＧｉＩＥＣ（ｆ）を決定し、少なくとも１つのＢＴＥ型マイクロホンのオーディオ音声信号をフィルタリングする少なくとも１つのキューフィルタのｊ番目のキューフィルタの伝達関数ＧｊＢＴＥＣ（ｆ）を決定するように構成された処理装置であって、方程式に基づいて伝達関数ＧｉＩＥＣ（ｆ）および伝達関数ＧｊＢＴＥＣ（ｆ）を決定するように構成された処理装置を含む。方程式は、空間的キューを含む伝達関数、例えば、ＨＲＴＦｌ（ｆ）に基づいてもよい。方程式は、Ｈｌ，ｉＩＥＣ（ｆ），Ｈｌ，ｊＢＴＥＣ（ｆ），ＧｉＩＥＣ（ｆ），および，ＧｊＢＴＥＣ（ｆ）に基づいてもよく、最小化問題：
【数１７】
2014140162.tif 000019
として与えられてもよい。式中、Ｗ（ｌ）は、角度重み付け係数であり、Ｗ（ｆ）は、周波数依存性重み付け係数であり、ｐは、正の整数である。
【００８９】
場合により、処理装置は、少なくとも１つのＩＴＥ型マイクロホンのｉ番目のマイクロホンと関連付けられたフィードバック経路の伝達関数ＨＦＢ，ｉＩＥＣ（ｆ）を決定し、少なくとも１つのＢＴＥ型マイクロホンのｊ番目のマイクロホンと関連付けられたフィードバック経路の伝達関数ＨＦＢ，ｊＢＴＥＣ（ｆ）を決定するようにさらに構成されてもよい。
【００９０】
場合により、処理装置は、条件に従って方程式の解を得ることによって、少なくとも１つのＩＴＥ型マイクロホンと関連付けられた少なくとも１つのキューフィルタのフィルタ係数、および、少なくとも１つのＢＴＥ型マイクロホンと関連付けられた少なくとも１つのキューフィルタのフィルタ係数を決定するようにさらに構成されてもよい。方程式は、条件が与えられた最小化問題でもよい。最小化問題は、条件に従って、
【数１８】
2014140162.tif 000020
によって与えられてもよい。条件は、ＨＦＢ，ｉＩＥＣ（ｆ）の１つもしくは複数および／またはＨＦＢ，ｊＢＴＥＣ（ｆ）の１つもしくは複数に基づいてもよい。条件は、最大安定利得に基づいてもよい。条件は、
【数１９】
2014140162.tif 000021
によって与えられてもよい。式中、ＭＳＧ（ｆ）は、最大安定利得である。
【００９１】
場合により、処理装置は、ＨＦＢ，ｉＩＥＣ（ｆ）の１つもしくは複数および／またはＨＦＢ，ｊＢＴＥＣ（ｆ）の１つもしくは複数に基づいて、最小化問題の解を得ることによって、少なくとも１つのＩＴＥ型マイクロホンと関連付けられた少なくとも１つのキューフィルタのフィルタ係数、および、少なくとも１つのＢＴＥ型マイクロホンと関連付けられた少なくとも１つのキューフィルタのフィルタ係数を決定するようにさらに構成されてもよい。最小化問題は、
【数２０】
2014140162.tif 000022
によって与えられてもよい。式中、αは、空間的キュー精度およびフィードバック性能のバランスをとる重み付け係数である。
【００９２】
場合により、頭部伝達関数ＨＲＴＦｌ（ｆ）は、補聴器関連伝達関数Ｈｌ，ｒｅｆＩＴＥＣ（ｆ）に基づいており、処理装置は、条件に従って方程式の解を得ることによって、少なくとも１つのＩＴＥ型マイクロホンのオーディオ音声信号をフィルタリングする少なくとも１つのキューフィルタのフィルタ係数、および、少なくとも１つのＢＴＥ型マイクロホンのオーディオ音声信号をフィルタリングする少なくとも１つのキューフィルタのフィルタ係数を決定するように構成される。方程式は、ＨＦＢ，ｉＩＥＣ（ｆ）の１つもしくは複数および／またはＨＦＢ，ｊＢＴＥＣ（ｆ）の１つもしくは複数に基づいて、条件が与えられた最小化問題でもよい。最小化問題は、
【数２１】
2014140162.tif 000023
によって与えられてもよく、
【数２２】
2014140162.tif 000024
の条件が与えられ、式中、ＭＳＧ（ｆ）は、最大安定利得である。
【００９３】
場合により、頭部伝達関数ＨＲＴＦｌ（ｆ）は、補聴器関連伝達関数Ｈｌ，ｒｅｆＩＴＥＣ（ｆ）に基づいており、処理装置は、方程式の解を得ることによって、少なくとも１つのＩＴＥ型マイクロホンのオーディオ音声信号をフィルタリングする少なくとも１つのキューフィルタのフィルタ係数、および、少なくとも１つのＢＴＥ型マイクロホンのオーディオ音声信号をフィルタリングする少なくとも１つのキューフィルタのフィルタ係数を決定するように構成される。方程式は、ＨＦＢ，ｉＩＥＣ（ｆ）の１つもしくは複数および／またはＨＦＢ，ｊＢＴＥＣ（ｆ）の１つもしくは複数に基づく最小化問題でもよい。最小化問題は、
【数２３】
2014140162.tif 000025
によって与えられてもよい。式中、αは、空間的キュー精度およびフィードバック性能のバランスをとる重み付け係数である。
【００９４】
場合により、処理装置は、補聴器が人工頭部上に取り付けられた状態で、頭部伝達関数ＨＲＴＦｌ（ｆ），補聴器関連伝達関数Ｈｌ，ｉＩＥＣ（ｆ），および補聴器関連伝達関数Ｈｌ，ｊＢＴＥＣ（ｆ）を決定するように構成されてもよい。
【００９５】
場合により、処理装置は、複数の使用者について、頭部伝達関数ＨＲＴＦｌ（ｆ），補聴器関連伝達関数Ｈｌ，ｉＩＥＣ（ｆ），および補聴器関連伝達関数Ｈｌ，ｊＢＴＥＣ（ｆ）を決定するように構成されてもよく、処理装置は、複数の使用者の頭部伝達関数ＨＲＴＦｌ（ｆ）の平均値、補聴器関連伝達関数Ｈｌ，ｉＩＥＣ（ｆ）の平均値および補聴器関連伝達関数Ｈｌ，ｊＢＴＥＣ（ｆ）の平均値に基づいて、少なくとも１つのＢＴＥ型マイクロホンのオーディオ音声信号をフィルタリングする少なくとも１つのキューフィルタのフィルタ係数を決定するように構成されてもよい。
【００９６】
場合により、ＢＴＥ型補聴器は、複数の周波数チャネルを有していてもよく、処理装置は、周波数チャネルの１つまたは複数において、少なくとも１つのＩＴＥ型マイクロホンのオーディオ音声信号をフィルタリングする少なくとも１つのキューフィルタのフィルタ係数、および、少なくとも１つのＢＴＥ型マイクロホンのオーディオ音声信号をフィルタリングする少なくとも１つのキューフィルタのフィルタ係数を決定するように構成されてもよい。
【００９７】
場合により、処理装置は、難聴補正が少なくとも１つのＩＴＥ型マイクロホンの出力にのみ実行されるように、周波数チャネルの１つまたは複数において少なくとも１つのＢＴＥ型マイクロホンを切断するようにさらに構成されてもよい。
【００９８】
場合により、処理装置は、少なくとも１つのＩＴＥ型マイクロホンのオーディオ音声信号をフィルタリングする少なくとも１つのキューフィルタによって、または、少なくとも１つのＢＴＥ型マイクロホンのオーディオ音声信号をフィルタリングする少なくとも１つのキューフィルタによって、または、両方によって出力された、フィルタリングされたオーディオ音声信号の組み合わせに基づいて難聴補正済みの出力信号を生成するようにさらに構成されてもよい。
【００９９】
場合により、Ｗ（ｌ）＝１であってもよい。
【０１００】
場合により、Ｗ（ｆ）＝１であってもよい。
【０１０１】
場合により、ｐ＝２であってもよい。
【０１０２】
他のさらなる態様および特徴は、実施形態の以下の詳細な説明を読み進めることから、明らかになるであろう。
【０１０３】
図面は実施形態の設計および実用性を示し、図面では、同様の要素は共通の参照符号で言及される。これらの図面は、必ずしも原寸に比例するとは限らない。上記で列挙される利点や目的、そして、他の利点や目的を得る方法をより良く理解するため、実施形態のより具体的な説明が表示され、それらは、添付の図面に示される。これらの図面は、例示的な実施形態のみを描写し、従って、特許請求の範囲を限定するものと見なされてはならない。
【図面の簡単な説明】
【０１０４】
【図１】オープンイヤの角度−周波数スペクトルのプロットを示す。
【図２】同じ耳に装着されたＢＴＥ型前方マイクロホンの角度−周波数スペクトルのプロットを示す。
【図３】ＢＴＥ型前方および後方マイクロホンと、外耳道内に配置されたオープンフィットのＩＴＥ型マイクロホンの最大安定利得のプロットを示す。
【図４】新規の補聴器の一例を概略的に示す。
【図５】新規の補聴器の別の一例を概略的に示す。
【図６】ＩＴＥ型マイクロホンが使用者の外耳に位置する新規のＢＴＥ型補聴器を斜視図で示す。
【図７】キューフィルタを備えた新規の補聴器の一例の概略ブロック図を示す。
【図８】フィードバックキャンセルが追加された図７の新規の補聴器の概略ブロック図を示す。
【図９】キューフィルタを決定する１つの方法を示す概略ブロック図を示す。
【発明を実施するための形態】
【０１０５】
図面を参照して、以下に、様々な実施形態が説明される。図面は、必ずしも原寸に比例するとは限らず、同様の構造または機能の要素は、図面全体を通して、同様の参照符号で表されることに留意されたい。また、図面は、実施形態の説明を容易にすることのみを意図することも留意されたい。図面は、特許請求される発明の網羅的な説明となることも、特許請求される発明の範囲を制限することも意図しない。さらに、示される実施形態は、示される全ての態様または利点を有する必要はない。特定の実施形態に関連して説明される態様または利点は、その実施形態に必ずしも限定されず、そのように示されることや、そのように明確に説明されることがなくとも、他の任意の実施形態において実践することができる。
【０１０６】
図４は、使用者の耳介１００の後ろに装着されるＢＴＥ型補聴器ハウジング１２（図示しない−内部部品が見えるように外壁を除去している）を含む補聴器１０の一例を概略的に示している。ＢＴＥ型ハウジング１２は、音声信号をマイクロホンオーディオ音声信号に変換するための前方マイクロホン１４および後方マイクロホン１６を備えた少なくとも１つのＢＴＥ型音声入力変換器１４、１６、各マイクロホンオーディオ音声信号をフィルタリングするための任意のプレフィルタ（図示しない）、各マイクロホンオーディオ音声信号を、プロセッサ１８に入力されるそれぞれのデジタルマイクロホンオーディオ音声信号へと変換するためのＡ／Ｄ変換器（図示しない）を収容する。プロセッサ１８は、入力されたデジタルオーディオ音声信号に基づいて難聴補正済みの出力信号を生成するように構成されている。
【０１０７】
難聴補正済みの出力信号は、音声信号伝送部材２０内に包含される電線を通して、難聴補正済みの出力信号を使用者の鼓膜に向けて伝送するための音響出力信号に変換するレシーバ２２へと伝送される。レシーバ２２は、ＢＴＥ型補聴器の分野において周知の通り、使用者の外耳道の意図された位置に音声信号伝送部材を固定および保持するために使用者の外耳道に快適に配置されるように成形（図示しない）されたイヤピース２４内に包含される。
【０１０８】
イヤピース２４は、イヤピースが使用者の外耳道の意図された位置に配置された場合に外耳道の入口に位置する１つのＩＴＥ型マイクロホン２６も保持している。ＩＴＥ型マイクロホン２６は、音声伝送部材２０内に包含される電線（見えない）を用いて、ＢＴＥ型ハウジング１２内のＡ／Ｄ変換器（図示しない）と、任意で、プレフィルタ（図示しない）とに接続される。
【０１０９】
補聴器１０は、電池２８によって電力の供給を受ける。
【０１１０】
プロセッサ１８の様々な可能な機能を上記に開示したが、これらの内の幾つかを以下により詳細に開示する。
【０１１１】
図５は、図４に示す補聴器に類似した別の補聴器１０を概略的に示している。ただし、図５ではレシーバ２２がイヤピース２４内ではなく、補聴器ハウジング１２内に配置されるており、それによって、レシーバ２２によって出力された音響音声が、イヤピース２４が使用者の外耳道の意図された位置に配置された場合に、音響管２０を通して、使用者の鼓膜に向けて伝送されるという点で相違している。
【０１１２】
図４および図５のＢＴＥ型補聴器１０を使用した際に、使用者の外耳道への入口に近接するＩＴＥ型マイクロホン２６の位置決めは、使用者のＨＲＴＦの良好な再現につながると考えられている。
【０１１３】
図６は、動作位置にある補聴器１０を示し、この位置では、ＢＴＥ型ハウジング１２が使用者の耳の後ろ、すなわち、耳介１００の後ろに存在する。図示された補聴器１０は、ＩＴＥ型マイクロホン２６が、アーム３０の自由端において、外耳道の外側の使用者の外耳に配置されるということを除いては、図４および図５に示される補聴器と類似したものである。アーム３０は可撓性があり、アーム３０は、使用者の外耳においてその位置を保持するために、耳介１００の内側、例えば、耳珠１０４および対耳珠１０６の後部で、対耳輪１０８に隣接する耳甲介１０２の周囲に配置され、かつ、少なくとも部分的に対耳輪によって覆われることが意図されている。アームは、製造時に、アーム３０が耳介内の意図された位置へと簡単にフィットするように、好ましくは、対耳輪１０８の曲率より僅かに大きな曲率を有するアーチ形状に予め成形することができる。アーム３０は、ＩＴＥ型マイクロホン２６をＢＴＥ型補聴器回路の他の部品と相互接続させるための電線（見えない）を含む。
【０１１４】
一例では、アーム３０は、三角窩の下の動作位置へのＩＴＥ型マイクロホン２６の位置決めを容易にする長さおよび形状を有する。
【０１１５】
図７は、新規の補聴器１０における信号処理の一例を示すブロック図である。補聴器１０は、例えば、図４〜図６に示されるような前方マイクロホン１４および後方マイクロホン１６ならびに使用者の外耳に配置されるイヤピース２４に存在するＩＴＥ型マイクロホン２６で構成されるマイクロホンのアレイ１４−１、１４−２、・・・、１４−Ｍ、２６−１、２６−２、・・・、２６−Ｎを有する。ＮおよびＭは、いずれの整数でもよく、例えば、Ｎ＝１およびＭ＝２である。
【０１１６】
マイクロホン出力オーディオ音声信号は、各プリプロセッサ３２−１、３２−２、・・・、３２−Ｎ、３４−１、３４−２、・・・、３４−Ｍにおいて、デジタル化され（Ａ／Ｄ変換器は図示しない）、プレフィルタリング等の前処理が行われる。デジタル化された（場合により前処理が行われた）マイクロホン出力オーディオ音声信号３８−１、３８−２、・・・、３８−Ｎ、４０−１、４０−２、・・・、４０−Ｍは、キューフィルタ４２−１、４２−２、・・・、４２−Ｎ、４４−１、４４−２、・・・、４４−Ｍにおいてフィルタリングされ、フィルタリングが行われた信号４６−１、４６−２、・・・、４６−Ｎ、４８−１、４８−２、・・・、４８−Ｍは、加算器５０において互いに加算され、結合信号５２は、難聴補正用のプロセッサ１８に入力される。難聴補正済みの信号５４は、その信号を音響信号に変換して使用者の鼓膜に向けて伝送を行うレシーバ２２に出力される。
【０１１７】
図７に示される新規の補聴器回路は、ＢＴＥ型補聴器１０の周波数範囲全体で動作してもよい。
【０１１８】
図７に示される補聴器１０は、マイクロホン出力オーディオ音声信号が複数の周波数チャネルに分割され、各周波数チャネルにおいて信号を個別に処理するマルチチャネル補聴器でもよい。
【０１１９】
マルチチャネル補聴器１０の場合、図７は、単一の周波数チャネルにおける回路および信号処理を示していてもよい。回路および信号処理は、複数の周波数チャネルにおいて、例えば、全ての周波数チャネルにおいて重複してもよい。
【０１２０】
例えば、図７に示される信号処理は、例えば、販売所で特定の使用者に対して補聴器のフィッティングを行う際に選択される周波数帯域のような、選択された周波数帯域で行われてもよい。
【０１２１】
選択された周波数帯域は、周波数チャネルの内の１つまたは複数、あるいは、全ての周波数チャネルを含んでいてもよい。選択された周波数帯域は、断片化が行われてもよい。すなわち、選択された周波数帯域は、連続した周波数チャネルを含む必要がない。
【０１２２】
複数の周波数チャネルは、ワーピングされた周波数チャネルを含んでもよく、例えば、全ての周波数チャネルがワーピングされた周波数チャネルでもよい。
【０１２３】
選択された周波数帯域外では、１又は複数の、少なくとも１つのＩＴＥ型マイクロホンが、従来のように入力源として補聴器のプロセッサに接続されてもよく、周知の方法で補聴器のプロセッサと連携してもよい。
【０１２４】
このように、少なくとも１つのＩＴＥ型マイクロホンの１つまたは複数または全ては、少なくとも１つのＩＴＥ型マイクロホンの１つまたは複数からの入力に基づいて所望の利得を補聴器が提供可能な周波数で、プロセッサ１８に入力を提供する。この構成を用いて所望の利得を補聴器が提供できない選択された周波数帯域内においては、ＢＴＥ型補聴器ハウジングのマイクロホンが、上記に開示したような信号処理に含まれる。このように、マイクロホンのアレイによって提供される音環境に関する空間情報を維持すると同時に、利得を増加させることができる。
【０１２５】
キューフィルタ４２−１、４２−２、・・・、４２−Ｎ、４４−１、４４−２、・・・、４４−Ｍの伝達関数は、以下のステップによって、例えば販売所で、使用前に決定されている。
１）補聴器が例えば複数の異なるサイズの耳についての人工頭部上に取り付けられた状態で、または、複数の人間が補聴器を装着した状態で、頭部伝達関数ＨＲＴＦｌ（ｆ），補聴器関連伝達関数Ｈｌ，ｉＩＥＣ（ｆ），および補聴器関連伝達関数Ｈｌ，ｊＢＴＥＣ（ｆ）を測定する。
２）対象となる集団に対して、例えば、１つは大きな耳の集団に対して、１つは小さな耳の集団に対して等、頭部伝達関数ＨＲＴＦｌ（ｆ），補聴器関連伝達関数Ｈｌ，ｉＩＥＣ（ｆ），および補聴器関連伝達関数Ｈｌ，ｊＢＴＥＣ（ｆ）の平均値を決定する。
３）個々の使用者が補聴器を装着した状態で：少なくとも１つのＩＴＥ型マイクロホンのｉ番目のマイクロホンと関連付けられたフィードバック経路の伝達関数ＨＦＢ，ｉＩＥＣ（ｆ）および少なくとも１つのＢＴＥ型音声入力変換器のｊ番目のマイクロホンと関連付けられたフィードバック経路の伝達関数ＨＦＢ，ｊＢＴＥＣ（ｆ）を測定する。
４）以下の最小化問題のうちの選択されたものの解を得ることによって、少なくとも１つのキューフィルタの伝達関数ＧｉＩＥＣ（ｆ）および少なくとも１つのキューフィルタの伝達関数ＧｊＢＴＥＣ（ｆ）を決定する。
【数２４】
2014140162.tif 000026
式中、ｐは、例えば、ｐ＝２等の整数である。
【０１２６】
フィードバック安定性を保証するため、最小化問題は、以下の条件に従って解を得てもよい。
【数２５】
2014140162.tif 000027
【０１２７】
また、フィードバック安定性は、以下の最小化問題に条件を組み込むことによって保証されてもよい。
【数２６】
2014140162.tif 000028
式中、αは、空間的キュー精度およびフィードバック性能のバランスをとる重み付け係数である。
【０１２８】
様々な重みを上記の最小化問題に組み込んで、重みの値が規定するように、解を最適化してもよい。例えば、周波数重みＷ（ｆ）は、特定の１つまたは複数の周波数範囲において、解を最適化することができ、角度重みＷ（ｌ）は、音の特定の到来方向に対して、解を最適化することができる。
【０１２９】
従って、最小化問題は、
【数２７】
2014140162.tif 000029
に変形可能であり、その条件は、
【数２８】
2014140162.tif 000030
または
【数２９】
2014140162.tif 000031
で与えられている。
【０１３０】
さらに、１つまたは複数の選択された周波数範囲において、最小化の間、位相は無視して、伝達関数の大きさのみを考慮に入れてもよい。すなわち、１つまたは複数の選択された周波数範囲において、伝達関数は、その絶対値で置き換えられる。
【０１３１】
対象伝達関数は、様々な方向ｌに対して、ＨＲＴＦによって定義される必要はない。空間的キューを含むどのような伝達関数も、対象伝達関数として使用することができる。
【０１３２】
例えば、少なくとも１つのＩＴＥ型マイクロホンのうちのＩＴＥマイクロホンの１つは、ＩＴＥ型マイクロホンの伝達関数が使用者のＨＲＴＦに近似するような使用者に関する位置に配置してもよい。これによって、上記の最小化問題のＨＲＴＦｌ（ｆ）を、対象となるＩＴＥ型マイクロホンの伝達関数Ｈｌ，ｒｅｆＩＴＥＣ（ｆ）で置き換えることができる。
【数３０】
2014140162.tif 000032
上記の最小化問題の条件は、
【数３１】
2014140162.tif 000033
または
【数３２】
2014140162.tif 000034
で与えられる。
【０１３３】
図８は、フィードバックキャンセラ７０が追加されることを除いては、図７に示す補聴器１０に類似した新規の補聴器１０を示すブロック図である。フィードバックキャンセラ７０は、プロセッサ１８の出力に接続された入力７２と、当技術分野において周知の通り、対応するプリプロセッサ３２−１、３２−２、・・・、３２−Ｎ、３４−１、３４−２、・・・、３４−Ｍに供給されるフィードバック補正済みの信号を提供するために各マイクロホン出力オーディオ信号から出力を減算するための各減算器７８−１、７８−２、・・・、７８−Ｎ、８０−１、８０−２、・・・、８０−Ｍに接続されるとともに、適応フィルタを含むフィードバックキャンセラ７０の適応を制御するためのフィードバックキャンセラ７０に接続される出力７４−１、７４−２、・・・、７４−Ｎ、７６−１、７６−２、・・・、７６−Ｍと、を備える。フィードバックキャンセラ７０は、出力変換器２２から各マイクロホン１４−１、１４−２、・・・、１４−Ｍ、２６−１、２６−２、・・・、２６−Ｎに伝わる対応するフィードバック信号の近似を成す信号７４−１、７４−２、・・・、７４−Ｎ、７６−１、７６−２、・・・、７６−Ｍを提供する。
【０１３４】
図８に示される補聴器１０は、マイクロホン出力オーディオ音声信号が複数の周波数チャネルに分割され、分割された信号が、各周波数チャネルにおいて個別に処理されるマルチチャネル補聴器でもよい。
【０１３５】
マルチチャネル補聴器１０の場合、図８は、単一の周波数チャネルにおける回路および信号処理を示していてもよい。回路および信号処理は、複数の周波数チャネルにおいて、例えば、全ての周波数チャネルにおいて重複してもよい。
【０１３６】
例えば、図８に示される信号処理は、例えば、販売所で特定の使用者に対して補聴器１０のフィッティングを行う際に選択される周波数帯域のような、選択された周波数帯域で行われてもよい。
【０１３７】
選択された周波数帯域は、周波数チャネルの内の１つまたは複数、あるいは、全ての周波数チャネルを含んでいてもよい。選択された周波数帯域は、断片化が行われてもよい、すなわち、選択された周波数帯域は、連続した周波数チャネルを含む必要がない。
【０１３８】
複数の周波数チャネルは、ワーピングされた周波数チャネルを含むことが可能で、例えば、全ての周波数チャネルがワーピングされた周波数チャネルでもよい。
【０１３９】
選択された周波数帯域外では、１つまたは複数の、少なくとも１つのＩＴＥ型マイクロホンが、従来のように入力源として補聴器のプロセッサに接続されてもよく、周知の方法で補聴器のプロセッサと連携してもよい。
【０１４０】
このように、少なくとも１つのＩＴＥ型マイクロホンの１つまたは複数は、少なくとも１つのＩＴＥ型マイクロホンの１つまたは複数からの入力に基づいて所望の利得を補聴器が提供可能な周波数で、プロセッサ１８に入力を提供する。この構成を用いて所望の利得を補聴器が提供できない選択された周波数帯域内においては、ＢＴＥ型補聴器ハウジングのマイクロホンが、上記に開示したような信号処理に含まれる。このように、マイクロホンのアレイによって提供される音環境に関する空間情報を維持すると同時に、利得を増加させることができる。
【０１４１】
キューフィルタ４２−１、４２−２、・・・、４２−Ｎ、４４−１、４４−２、・・・、４４−Ｍの伝達関数は、図７に関連して上記に開示したものと同じステップによって、例えば販売所で、使用前に決定されている。
【０１４２】
図９は、例えば、補聴器のフィッティングを行う際に、図７および８に示される補聴器のキューフィルタ４２−１、４２−２、・・・、４２−Ｎ、４４−１、４４−２、・・・、４４−Ｍを決定する１つの方法を示す概略ブロック図である。
【０１４３】
キューフィルタ４２−１、４２−２、・・・、４２−Ｎ、４４−１、４４−２、・・・、４４−Ｍは、補聴器のフィッティングを行う際に適応させることができる適応フィルタである。キューフィルタの決定後、フィルタ係数は、各決定値で一定に保たれる。
【０１４４】
マイクロホンＩＴＥＲＥＦ２５は、受信音の空間的キューの保存状態が良好な人工頭部または使用者に関する位置に配置される単一のマイクロホンでもよく、マイクロホンＩＴＥＲＥＦ２５は、プリプロセッサ３１に接続され、マイクロホンのアレイからの結合信号出力が、例えば、プリプロセッサ３１と連携して、受信音の空間的キューの良好な保存状態を有する、人工頭部または使用者に関する位置に配置されるマイクロホンのアレイを示してもよい。
【０１４５】
マイクロホン（アレイ）ＩＴＥＲＥＦ２５の上記の位置決めにより、マイクロホン（アレイ）ＩＴＥＲＥＦ２５の出力信号は、音源に向かう１つまたは複数の方向に対して使用者のＨＲＴＦに良い近似を成す伝達関数を有する。
【０１４６】
フィッティングを行う際、様々な音源が、補聴器の人工頭部または使用者に関するそれぞれの様々な方向から音を発生し、キューフィルタ４２−１、４２−２、・・・、４２−Ｎ、４４−１、４４−２、・・・、４４−Ｍは、遅延器４１の出力信号５１に適応させることができ、適応終了時、例えば、キューフィルタ４２−１、４２−２、・・・、４２−Ｎ、４４−１、４４−２、・・・、４４−Ｍのフィルタ係数が安定するとき、すなわち、フィルタ係数の変化が特定の閾値未満となるとき、フィルタ係数は、もはや変化することはできなくなる。さらに、信号５１は、信号５６が、出力信号５１と実質的に同じ空間的キューを有するキューフィルタ４２−１、４２−２、・・・、４２−Ｎ、４４−１、４４−２、・・・、４４−Ｍの結合出力信号を構成するように、減算器５４から切断される。
【０１４７】
遅延器４１は、キューフィルタ４２−１、４２−２、・・・、４２−Ｎ、４４−１、４４−２、・・・、４４−Ｍの遅延に実質的に等しい遅延で、プリプロセッサ３１の出力信号を遅延させる。
【０１４８】
キューフィルタ４２−１、４２−２、・・・、４２−Ｎ、４４−１、４４−２、・・・、４４−Ｍのフィルタ係数を決定する間、例えば、フィッティングを行う際、キューフィルタ４２−１、４２−２、・・・、４２−Ｎ、４４−１、４４−２、・・・、４４−Ｍのフィルタ係数の適応は、出力信号５０−１、５０−２、・・・、５０−Ｎ、４６−１、４６−２、・・・、４６−Ｍの和と、ＩＴＥＲＥＦマイクロホンオーディオ音響信号５１との間の差に等しい減算器５４の出力信号５６を最小限に抑えるためにフィルタ係数の適応を制御する適応キュー制御装置４８によって制御される。
【０１４９】
従って、適応の間、適応キュー制御装置４８は、以下の最小化問題の解を得ることによって、キューフィルタ４２−１、４２−２、・・・、４２−Ｎ、４４−１、４４−２、・・・、４４−Ｍのフィルタ係数を調整するように動作する。
【数３３】
2014140162.tif 000035
式中、
Ｗ（ｆ）は、特定の１つまたは複数の周波数範囲において、解を最適化することができる周波数重みであり、
Ｗ（ｌ）は、音の特定の到来方向に対して、解を最適化することができる角度重みである。
【０１５０】
Ｗ（ｆ）は、全ての周波数に対して１に等しくともよく、および／または、Ｗ（ｌ）は、全ての方向に対して１に等しくともよい。
【０１５１】
起こり得るフィードバックは、以下の条件：
【数３４】
2014140162.tif 000036
または
【数３５】
2014140162.tif 000037
に従って、上記の最小化問題の解を得ることによって考慮することができる。
【０１５２】
例えば、図８に示されるフィードバック補正回路７２、７０、７４−１、７４−２、・・・、７４−Ｎ、７６−１、７６−２、・・・、７６−Ｍ、７８−１、７８−２、・・・、７８−Ｎ、８０−１、８０−２、・・・、８０−Ｍ、８２−１、８２−２、・・・、８２−Ｎ、８４−１、８４−２、８４−Ｍは、図９の回路に追加されてもよく、さらに、適応フィードバックフィルタ７０の出力７４−１、７４−２、・・・、７４−Ｎ、７６−１、７６−２、・・・、７６−Ｍを適応キュー制御装置４８の各入力に接続してもよく、出力７４−１、７４−２、・・・、７４−Ｎ、７６−１、７６−２、・・・、７６−Ｍの各々は、少なくとも１つのＩＴＥ型マイクロホンのそれぞれの補聴器関連伝達関数Ｈｌ，ｉＩＥＣ（ｆ）および少なくとも１つのＢＴＥ型マイクロホンのそれぞれの補聴器関連伝達関数Ｈｌ，ｊＢＴＥＣ（ｆ）の推定を提供し、その結果、適応キュー制御装置４８は、以下の条件：
【数３６】
2014140162.tif 000038
を確認することも、以下の最小化問題：
【数３７】
2014140162.tif 000039
の解を得ることもできる。
【０１５３】
また、以下の項目の何れかによる方法および補聴器が開示される。
【０１５４】
項目１
補聴器のパラメータを決定する方法であって、補聴器は、
使用者の耳介の後ろに装着されるように構成されたＢＴＥ型補聴器ハウジングと、
ＢＴＥ型補聴器ハウジングに収容される、少なくとも１つのＢＴＥ型音声入力変換器であって、その各々が、音響音声を各オーディオ信号に変換するように構成される、少なくとも１つのＢＴＥ型音声入力変換器と、
使用者の外耳に配置されるように構成されたＩＴＥ型マイクロホンハウジングであって、その各々が、音響音声を各オーディオ信号に変換するように構成される、ＩＴＥ型マイクロホンハウジングに収容される少なくとも１つのＩＴＥ型マイクロホンを、意図された位置に固定および保持するためのＩＴＥ型マイクロホンハウジングと、
少なくとも１つのキューフィルタであって、その各々が、少なくとも１つのＢＴＥ型音声入力変換器および少なくとも１つのＩＴＥ型マイクロホンのそれぞれからの出力信号が与えられる入力を有する、少なくとも１つのキューフィルタと、
少なくとも１つのキューフィルタによって出力されたフィルタリングされたオーディオ信号の組み合わせに基づいて難聴補正済みの出力信号を生成するように構成されたプロセッサと、
難聴補正済みの出力信号を人の聴覚系が受け取り可能な聴覚出力信号に変換するための出力変換器と、
を含み、方法は、
ＢＴＥ型補聴器に関する方向ｌのセットに対する、
頭部伝達関数ＨＲＴＦｌ（ｆ）、
方向ｌに対する少なくとも１つのＩＴＥ型マイクロホンのｉ番目のマイクロホンの補聴器関連伝達関数Ｈｌ，ｉＩＥＣ（ｆ）、および
少なくとも１つのＢＴＥ型マイクロホンのｊ番目のマイクロホンの補聴器関連伝達関数Ｈｌ，ｊＢＴＥＣ（ｆ）
を決定するステップと、
少なくとも１つのＩＴＥ型マイクロホンのｉ番目のマイクロホンと関連付けられたフィードバック経路の伝達関数ＨＦＢ，ｉＩＥＣ（ｆ）を決定するステップと、
少なくとも１つのＢＴＥ型音声入力変換器のｊ番目のマイクロホンと関連付けられたフィードバック経路の伝達関数ＨＦＢ，ｊＢＴＥＣ（ｆ）を決定するステップと、
少なくとも１つのＩＴＥ型マイクロホンのオーディオ信号をフィルタリングする少なくとも１つのキューフィルタのｉ番目のキューフィルタの伝達関数ＧｉＩＥＣ（ｆ）を決定するステップと、
以下の式：
【数３８】
2014140162.tif 000040
の解を得ることによって、少なくとも１つのＢＴＥ型マイクロホンのオーディオ信号をフィルタリングする少なくとも１つのキューフィルタのｊ番目のキューフィルタの伝達関数ＧｊＢＴＥＣ（ｆ）を決定するステップと、
を含み、式中、
Ｗ（ｌ）は、角度重み付け係数であり、
Ｗ（ｆ）は、周波数依存性重み付け係数であり、
ｐは、正の整数である、方法。
【０１５５】
項目２
少なくとも１つのＩＴＥ型マイクロホンのそれぞれと関連付けられたフィードバック経路の伝達関数ＨＦＢ，ｉＩＥＣ（ｆ）を決定するステップと、
少なくとも１つのＢＴＥ型音声入力変換器のそれぞれと関連付けられたフィードバック経路の伝達関数ＨＦＢ，ｊＢＴＥＣ（ｆ）を決定するステップと、
以下の式：
【数３９】
2014140162.tif 000041
の解を得ることによって、
少なくとも１つのＩＴＥ型マイクロホンのそれぞれの少なくとも１つのキューフィルタＧｉＩＥＣ（ｆ）、および
少なくとも１つのＢＴＥ型音声変換器のそれぞれの少なくとも１つのキューフィルタＧｊＢＴＥＣ（ｆ）
のフィルタ係数を決定するステップであって、以下の条件：
【数４０】
2014140162.tif 000042
が与えられ、式中、ＭＳＧ（ｆ）は、周波数ｆの関数としての最大安定利得である、ステップと、
をさらに含む、項目１に記載の方法。
【０１５６】
項目３
少なくとも１つのＩＴＥ型マイクロホンのそれぞれと関連付けられたフィードバック経路の伝達関数ＨＦＢ，ｉＩＥＣ（ｆ）を決定するステップと、
少なくとも１つのＢＴＥ型音声入力変換器のそれぞれと関連付けられたフィードバック経路の伝達関数ＨＦＢ，ｊＢＴＥＣ（ｆ）を決定するステップと、
以下の式：
【数４１】
2014140162.tif 000043
の解を得ることによって、
少なくとも１つのＩＴＥ型マイクロホンのそれぞれの少なくとも１つのキューフィルタＧｉＩＥＣ（ｆ）、および
少なくとも１つのＢＴＥ型音声変換器のそれぞれの少なくとも１つのキューフィルタＧｊＢＴＥＣ（ｆ）
のフィルタ係数を決定するステップであって、式中、αは、空間的キュー精度およびフィードバック性能のバランスをとる重み付け係数である、ステップと、
をさらに含む、項目１に記載の方法。
【０１５７】
項目４
頭部伝達関数ＨＲＴＦｌ（ｆ）は、少なくとも１つのＩＴＥ型マイクロホンの組み合わせの補聴器関連伝達関数Ｈｌ，ｒｅｆＩＴＥＣ（ｆ）で近似され、
少なくとも１つのＩＴＥ型マイクロホンのそれぞれと関連付けられたフィードバック経路の伝達関数ＨＦＢ，ｉＩＥＣ（ｆ）を決定するステップと、
少なくとも１つのＢＴＥ型音声入力変換器のそれぞれと関連付けられたフィードバック経路の伝達関数ＨＦＢ，ｊＢＴＥＣ（ｆ）を決定するステップと、
以下の式：
【数４２】
2014140162.tif 000044
の解を得ることによって、
少なくとも１つのＩＴＥ型マイクロホンの組み合わせに含まれない少なくとも１つのＩＴＥ型マイクロホンのそれぞれの少なくとも１つのキューフィルタＧｉＩＥＣ（ｆ）、および
少なくとも１つのＢＴＥ型音声変換器のそれぞれの少なくとも１つのキューフィルタＧｊＢＴＥＣ（ｆ）
のフィルタ係数を決定するステップであって、以下の条件：
【数４３】
2014140162.tif 000045
が与えられ、式中、ＭＳＧ（ｆ）は、周波数ｆの関数としての最大安定利得である、ステップと、
を含む、項目１に記載の方法。
【０１５８】
項目５
頭部伝達関数ＨＲＴＦｌ（ｆ）は、少なくとも１つのＩＴＥ型マイクロホンの組み合わせの補聴器関連伝達関数Ｈｌ，ｒｅｆＩＴＥＣ（ｆ）で近似され、
少なくとも１つのＩＴＥ型マイクロホンのそれぞれと関連付けられたフィードバック経路の伝達関数ＨＦＢ，ｉＩＥＣ（ｆ）を決定するステップと、
少なくとも１つのＢＴＥ型音声入力変換器のそれぞれと関連付けられたフィードバック経路の伝達関数ＨＦＢ，ｊＢＴＥＣ（ｆ）を決定するステップと、
以下の式：
【数４４】
2014140162.tif 000046
の解を得ることによって、
少なくとも１つのＩＴＥ型マイクロホンの組み合わせに含まれない少なくとも１つのＩＴＥ型マイクロホンのそれぞれの少なくとも１つのキューフィルタＧｉＩＥＣ（ｆ）、および
少なくとも１つのＢＴＥ型音声変換器のそれぞれの少なくとも１つのキューフィルタＧｊＢＴＥＣ（ｆ）
のフィルタ係数を決定するステップであって、式中、αは、空間的キュー精度およびフィードバック性能のバランスをとる重み付け係数である、ステップと、
を含む、項目１に記載の方法。
【０１５９】
項目６
ＢＴＥ型補聴器に関する方向ｌのセットに対する、
頭部伝達関数ＨＲＴＦｌ（ｆ）、
少なくとも１つのＩＴＥ型マイクロホンのそれぞれの補聴器関連伝達関数Ｈｌ，ｉＩＥＣ（ｆ）、および、
少なくとも１つのＢＴＥ型マイクロホンのそれぞれの補聴器関連伝達関数Ｈｌ，ｊＢＴＥＣ（ｆ）
の決定は、補聴器が人工頭部上に取り付けられた状態で実行される、項目１〜５の何れか１項に記載の方法。
【０１６０】
項目７
ＢＴＥ型補聴器に関する方向ｌのセットに対する、
頭部伝達関数ＨＲＴＦｌ（ｆ）、
少なくとも１つのＩＴＥ型マイクロホンのそれぞれの補聴器関連伝達関数Ｈｌ，ｉＩＥＣ（ｆ）、および、
少なくとも１つのＢＴＥ型マイクロホンのそれぞれの補聴器関連伝達関数Ｈｌ，ｊＢＴＥＣ（ｆ）
の個別の決定は、選択された使用者グループを示す複数の使用者について実行され、
少なくとも１つのＢＴＥ型音声変換器のそれぞれの少なくとも１つのキューフィルタＧｊＢＴＥＣ（ｆ）のフィルタ係数は、選択された使用者グループを示す複数の使用者の
頭部伝達関数ＨＲＴＦｌ（ｆ）、
少なくとも１つのＩＴＥ型マイクロホンのそれぞれの補聴器関連伝達関数Ｈｌ，ｉＩＥＣ（ｆ）、および、
少なくとも１つのＢＴＥ型マイクロホンのそれぞれの補聴器関連伝達関数Ｈｌ，ｊＢＴＥＣ（ｆ）
の平均値に基づいて決定される、項目１〜５の何れか１項に記載の方法。
【０１６１】
項目８
音声を示すオーディオ信号を複数の周波数チャネルに分割し、個々の周波数チャネルにおいてオーディオ信号を個別に処理するステップを含み、それによって、
少なくとも１つのＩＴＥ型マイクロホンのそれぞれの少なくとも１つのキューフィルタＧｉＩＥＣ（ｆ）、および
少なくとも１つのＢＴＥ型音声変換器のそれぞれの少なくとも１つのキューフィルタＧｊＢＴＥＣ（ｆ）
のフィルタ係数は、選択された周波数チャネルにおいて個別に決定される、項目１〜７の何れか１項に記載の方法。
【０１６２】
項目９
難聴補正が少なくとも１つのＩＴＥ型マイクロホンの出力にのみ実行されるように、選択された周波数チャネルにおいてプロセッサから少なくとも１つのＢＴＥ型マイクロホンを切断するステップを含む、項目８に記載の方法。
【０１６３】
項目１０
Ｗ（ｌ）＝１である、項目１〜９の何れか１項に記載の方法。
【０１６４】
項目１１
Ｗ（ｆ）＝１である、項目１〜１０の何れか１項に記載の方法。
【０１６５】
項目１２
ｐ＝２である、項目１〜１１の何れか１項に記載の方法。
【０１６６】
項目１３
項目１〜１２の何れか１項に記載の方法を実行するように構成されたプロセッサを備える補聴器。
【０１６７】
項目１４
音声信号伝送部材であって、音声信号伝送部材の第１の端部におけるＢＴＥ型補聴器ハウジングの音声出力から、音声信号伝送部材の第２の端部における使用者の外耳道への音声を示す信号の伝送を行うための音声信号伝送部材と、
使用者の外耳道内の意図された位置に音声信号伝送部材を固定および保持するために使用者の外耳道内に挿入されるように構成されたイヤピースと、
を含む、項目１３に記載の補聴器。
【０１６８】
また、以下の事項の何れかによる方法および補聴器が開示される。
【０１６９】
事項１
少なくとも１つのＩＴＥ型マイクロホンおよび少なくとも１つのＢＴＥ型マイクロホンを有するＢＴＥ型補聴器のパラメータを決定する方法であって、
頭部伝達関数ＨＲＴＦｌ（ｆ）を決定するステップと、
方向ｌに対する少なくとも１つのＩＴＥ型マイクロホンのｉ番目のマイクロホンの補聴器関連伝達関数Ｈｌ，ｉＩＥＣ（ｆ）を決定するステップと、
少なくとも１つのＢＴＥ型マイクロホンのｊ番目のマイクロホンの補聴器関連伝達関数Ｈｌ，ｊＢＴＥＣ（ｆ）を決定するステップと、
少なくとも１つのＩＴＥ型マイクロホンのオーディオ音声信号をフィルタリングする少なくとも１つのキューフィルタのｉ番目のキューフィルタの伝達関数ＧｉＩＥＣ（ｆ）を決定するステップと、
少なくとも１つのＢＴＥ型マイクロホンのオーディオ音声信号をフィルタリングする少なくとも１つのキューフィルタのｊ番目のキューフィルタの伝達関数ＧｊＢＴＥＣ（ｆ）を決定するステップと、
を含み、
伝達関数ＧｉＩＥＣ（ｆ）および伝達関数ＧｊＢＴＥＣ（ｆ）は、方程式：
【数４５】
2014140162.tif 000047
に基づいて処理装置を使用して決定され、式中、
Ｗ（ｌ）は、角度重み付け係数であり、
Ｗ（ｆ）は、周波数依存性重み付け係数であり、
ｐは、正の整数である、方法。
【０１７０】
事項２
少なくとも１つのＩＴＥ型マイクロホンのｉ番目のマイクロホンと関連付けられたフィードバック経路の伝達関数ＨＦＢ，ｉＩＥＣ（ｆ）を決定するステップと、
少なくとも１つのＢＴＥ型マイクロホンのｊ番目のマイクロホンと関連付けられたフィードバック経路の伝達関数ＨＦＢ，ｊＢＴＥＣ（ｆ）を決定するステップと、
をさらに含む、事項１に記載の方法。
【０１７１】
事項３
以下の式：
【数４６】
2014140162.tif 000048
の解を得ることによって、
少なくとも１つのＩＴＥ型マイクロホンと関連付けられた少なくとも１つのキューフィルタのフィルタ係数、および、少なくとも１つのＢＴＥ型マイクロホンと関連付けられた少なくとも１つのキューフィルタのフィルタ係数を決定するステップであって、以下の条件：
【数４７】
2014140162.tif 000049
が与えられ、式中、ＭＳＧ（ｆ）は、最大安定利得である、ステップ
をさらに含む、事項２に記載の方法。
【０１７２】
事項４
以下の式：
【数４８】
2014140162.tif 000050
の解を得ることによって、
少なくとも１つのＩＴＥ型マイクロホンと関連付けられた少なくとも１つのキューフィルタのフィルタ係数、および、少なくとも１つのＢＴＥ型マイクロホンと関連付けられた少なくとも１つのキューフィルタのフィルタ係数を決定するステップであって、式中、αは、空間的キュー精度およびフィードバック性能のバランスをとる重み付け係数である、ステップ
をさらに含む、事項２に記載の方法。
【０１７３】
事項５
頭部伝達関数ＨＲＴＦｌ（ｆ）は、補聴器関連伝達関数Ｈｌ，ｒｅｆＩＴＥＣ（ｆ）を使用して決定され、少なくとも１つのＩＴＥ型マイクロホンのオーディオ音声信号をフィルタリングする少なくとも１つのキューフィルタのフィルタ係数、および、少なくとも１つのＢＴＥ型マイクロホンのオーディオ音声信号をフィルタリングする少なくとも１つのキューフィルタのフィルタ係数は、以下の方程式：
【数４９】
2014140162.tif 000051
の解を得ることによって決定され、以下の条件：
【数５０】
2014140162.tif 000052
が与えられ、式中、ＭＳＧ（ｆ）は、最大安定利得である、事項２に記載の方法。
【０１７４】
事項６
頭部伝達関数ＨＲＴＦｌ（ｆ）は、補聴器関連伝達関数Ｈｌ，ｒｅｆＩＴＥＣ（ｆ）を使用して決定され、少なくとも１つのＩＴＥ型マイクロホンのオーディオ音声信号をフィルタリングする少なくとも１つのキューフィルタのフィルタ係数、および、少なくとも１つのＢＴＥ型マイクロホンのオーディオ音声信号をフィルタリングする少なくとも１つのキューフィルタのフィルタ係数は、以下の方程式：
【数５１】
2014140162.tif 000053
の解を得ることによって決定され、式中、αは、空間的キュー精度およびフィードバック性能のバランスをとる重み付け係数である、事項２に記載の方法。
【０１７５】
事項７
頭部伝達関数ＨＲＴＦｌ（ｆ），補聴器関連伝達関数Ｈｌ，ｉＩＥＣ（ｆ），および補聴器関連伝達関数Ｈｌ，ｊＢＴＥＣ（ｆ）を決定する動作は、補聴器が人工頭部上に取り付けられた状態で実行される、事項１に記載の方法。
【０１７６】
事項８
頭部伝達関数ＨＲＴＦｌ（ｆ），補聴器関連伝達関数Ｈｌ，ｉＩＥＣ（ｆ），および補聴器関連伝達関数Ｈｌ，ｊＢＴＥＣ（ｆ）を決定する動作は、複数の使用者について実行され、
少なくとも１つのＢＴＥ型マイクロホンのオーディオ音声信号をフィルタリングする少なくとも１つのキューフィルタのフィルタ係数は、複数の使用者の頭部伝達関数ＨＲＴＦｌ（ｆ）の平均値、補聴器関連伝達関数Ｈｌ，ｉＩＥＣ（ｆ）の平均値および補聴器関連伝達関数Ｈｌ，ｊＢＴＥＣ（ｆ）の平均値に基づいて決定される、事項１に記載の方法。
【０１７７】
事項９
補聴器は、複数の周波数チャネルを有し、
少なくとも１つのＩＴＥ型マイクロホンのオーディオ音声信号をフィルタリングする少なくとも１つのキューフィルタのフィルタ係数、および、少なくとも１つのＢＴＥ型マイクロホンのオーディオ音声信号をフィルタリングする少なくとも１つのキューフィルタのフィルタ係数は、周波数チャネルの１つまたは複数において決定される、事項１に記載の方法。
【０１７８】
事項１０
難聴補正が少なくとも１つのＩＴＥ型マイクロホンの出力にのみ実行されるように、周波数チャネルの１つまたは複数において少なくとも１つのＢＴＥ型マイクロホンを切断するステップをさらに含む、事項９に記載の方法。
【０１７９】
事項１１
少なくとも１つのＩＴＥ型マイクロホンのオーディオ音声信号をフィルタリングする少なくとも１つのキューフィルタによって、または、少なくとも１つのＢＴＥ型マイクロホンのオーディオ音声信号をフィルタリングする少なくとも１つのキューフィルタによって、または、それらの両方によって出力された、フィルタリングされたオーディオ音声信号の組み合わせに基づいて難聴補正済みの出力信号を生成するステップをさらに含む、事項１に記載の方法。
【０１８０】
事項１２
Ｗ（ｌ）＝１である、事項１に記載の方法。
【０１８１】
事項１３
Ｗ（ｆ）＝１である、事項１に記載の方法。
【０１８２】
事項１４
ｐ＝２である、事項１に記載の方法。
【０１８３】
事項１５
少なくとも１つのＩＴＥ型マイクロホンおよび少なくとも１つのＢＴＥ型マイクロホンを有するＢＴＥ型補聴器のパラメータを決定するための装置であって、
頭部伝達関数ＨＲＴＦｌ（ｆ）を決定し、
方向ｌに対する少なくとも１つのＩＴＥ型マイクロホンのｉ番目のマイクロホンの補聴器関連伝達関数Ｈｌ，ｉＩＥＣ（ｆ）を決定し、
少なくとも１つのＢＴＥ型マイクロホンのｊ番目のマイクロホンの補聴器関連伝達関数Ｈｌ，ｊＢＴＥＣ（ｆ）を決定し、
少なくとも１つのＩＴＥ型マイクロホンのオーディオ音声信号をフィルタリングする少なくとも１つのキューフィルタのｉ番目のキューフィルタの伝達関数ＧｉＩＥＣ（ｆ）を決定し、
少なくとも１つのＢＴＥ型マイクロホンのオーディオ音声信号をフィルタリングする少なくとも１つのキューフィルタのｊ番目のキューフィルタの伝達関数ＧｊＢＴＥＣ（ｆ）を決定する
ように構成された処理装置であって、
以下の方程式：
【数５２】
2014140162.tif 000054
に基づいて伝達関数ＧｉＩＥＣ（ｆ）および伝達関数ＧｊＢＴＥＣ（ｆ）を決定するように構成され、式中、
Ｗ（ｌ）は、角度重み付け係数であり、
Ｗ（ｆ）は、周波数依存性重み付け係数であり、
ｐは、正の整数である、処理装置を含む、装置。
【０１８４】
事項１６
処理装置は、
少なくとも１つのＩＴＥ型マイクロホンのｉ番目のマイクロホンと関連付けられたフィードバック経路の伝達関数ＨＦＢ，ｉＩＥＣ（ｆ）を決定し、
少なくとも１つのＢＴＥ型マイクロホンのｊ番目のマイクロホンと関連付けられたフィードバック経路の伝達関数ＨＦＢ，ｊＢＴＥＣ（ｆ）を決定する
ようにさらに構成される、事項１５に記載の装置。
【０１８５】
事項１７
処理装置は、
以下の式：
【数５３】
2014140162.tif 000055
の解を得ることによって、少なくとも１つのＩＴＥ型マイクロホンと関連付けられた少なくとも１つのキューフィルタのフィルタ係数、および、少なくとも１つのＢＴＥ型マイクロホンと関連付けられた少なくとも１つのキューフィルタのフィルタ係数を決定する
ようにさらに構成され、以下の条件：
【数５４】
2014140162.tif 000056
が与えられ、式中、ＭＳＧ（ｆ）は、最大安定利得である、事項１６に記載の装置。
【０１８６】
事項１８
処理装置は、
以下の式：
【数５５】
2014140162.tif 000057
の解を得ることによって、少なくとも１つのＩＴＥ型マイクロホンと関連付けられた少なくとも１つのキューフィルタのフィルタ係数、および、少なくとも１つのＢＴＥ型マイクロホンと関連付けられた少なくとも１つのキューフィルタのフィルタ係数を決定するようにさらに構成され、式中、αは、空間的キュー精度およびフィードバック性能のバランスをとる重み付け係数である、事項１６に記載の装置。
【０１８７】
事項１９
頭部伝達関数ＨＲＴＦｌ（ｆ）は、補聴器関連伝達関数Ｈｌ，ｒｅｆＩＴＥＣ（ｆ）に基づき、処理装置は、以下の方程式：
【数５６】
2014140162.tif 000058
の解を得ることによって、少なくとも１つのＩＴＥ型マイクロホンのオーディオ音声信号をフィルタリングする少なくとも１つのキューフィルタのフィルタ係数、および、少なくとも１つのＢＴＥ型マイクロホンのオーディオ音声信号をフィルタリングする少なくとも１つのキューフィルタのフィルタ係数を決定するように構成され、以下の条件：
【数５７】
2014140162.tif 000059
が与えられ、式中、ＭＳＧ（ｆ）は、最大安定利得である、事項１６に記載の装置。
【０１８８】
事項２０
頭部伝達関数ＨＲＴＦｌ（ｆ）は、補聴器関連伝達関数Ｈｌ，ｒｅｆＩＴＥＣ（ｆ）に基づき、処理装置は、以下の方程式：
【数５８】
2014140162.tif 000060
の解を得ることによって、少なくとも１つのＩＴＥ型マイクロホンのオーディオ音声信号をフィルタリングする少なくとも１つのキューフィルタのフィルタ係数、および、少なくとも１つのＢＴＥ型マイクロホンのオーディオ音声号をフィルタリングする少なくとも１つのキューフィルタのフィルタ係数を決定するように構成され、式中、αは、空間的キュー精度およびフィードバック性能のバランスをとる重み付け係数である、事項１６に記載の装置。
【０１８９】
事項２１
処理装置は、補聴器が人工頭部上に取り付けられた状態で、頭部伝達関数ＨＲＴＦｌ（ｆ），補聴器関連伝達関数Ｈｌ，ｉＩＥＣ（ｆ）、および補聴器関連伝達関数Ｈｌ，ｊＢＴＥＣ（ｆ）を決定するように構成される、事項１５に記載の装置。
【０１９０】
事項２２
処理装置は、複数の使用者について、頭部伝達関数ＨＲＴＦｌ（ｆ）、補聴器関連伝達関数Ｈｌ，ｉＩＥＣ（ｆ）、および補聴器関連伝達関数Ｈｌ，ｊＢＴＥＣ（ｆ）を決定するように構成され、
処理装置は、複数の使用者の頭部伝達関数ＨＲＴＦｌ（ｆ）の平均値、補聴器関連伝達関数Ｈｌ，ｉＩＥＣ（ｆ）の平均値および補聴器関連伝達関数Ｈｌ，ｊＢＴＥＣ（ｆ）の平均値に基づいて、少なくとも１つのＢＴＥ型マイクロホンのオーディオ音声信号をフィルタリングする少なくとも１つのキューフィルタのフィルタ係数を決定するように構成される、事項１５に記載の装置。
【０１９１】
事項２３
ＢＴＥ型補聴器は、複数の周波数チャネルを有し、
処理装置は、周波数チャネルの１つまたは複数において、少なくとも１つのＩＴＥ型マイクロホンのオーディオ音声信号をフィルタリングする少なくとも１つのキューフィルタのフィルタ係数、および、少なくとも１つのＢＴＥ型マイクロホンのオーディオ音声信号をフィルタリングする少なくとも１つのキューフィルタのフィルタ係数を決定するように構成される、事項１５に記載の装置。
【０１９２】
事項２４
処理装置は、難聴補正が少なくとも１つのＩＴＥ型マイクロホンの出力にのみ実行されるように、周波数チャネルの１つまたは複数において少なくとも１つのＢＴＥ型マイクロホンを切断するようにさらに構成される、事項２３に記載の装置。
【０１９３】
事項２５
処理装置は、少なくとも１つのＩＴＥ型マイクロホンのオーディオ音声信号をフィルタリングする少なくとも１つのキューフィルタによって、または、少なくとも１つのＢＴＥ型マイクロホンのオーディオ音声信号をフィルタリングする少なくとも１つのキューフィルタによって、または、それらの両方によって出力された、フィルタリングされたオーディオ音声信号の組み合わせに基づいて難聴補正済みの出力信号を生成するようにさらに構成される、事項１５に記載の装置。
【０１９４】
事項２６
Ｗ（ｌ）＝１である、事項１５に記載の装置。
【０１９５】
事項２７
Ｗ（ｆ）＝１である、事項１５に記載の装置。
【０１９６】
事項２８
ｐ＝２である、事項１５に記載の装置。
【０１９７】
特定の実施形態が示されて説明されてきたが、特許請求される発明を好ましい実施形態に限定することは意図されないことが理解され、当業者であれば、特許請求される発明の精神および範囲から逸脱することなく、様々な変形や変更を行うことができることは明らかであろう。明細書および図面は、それに従って、限定的な意味というよりむしろ例示的な意味で考慮されたい。特許請求される発明は、代替形態、変更形態および均等物を包含することが意図される。
【符号の説明】
【０１９８】
１０  ＢＴＥ型補聴器
１２  ＢＴＥ型補聴器ハウジング
１４  ＢＴＥ型音声入力変換器
１６  ＢＴＥ型音声入力変換器
１８  プロセッサ
２０  音声信号伝送部材
２２  出力変換器
２４  イヤピース
２６  ＩＴＥ型マイクロホン
２８  電池
３０  アーム
３１  プリプロセッサ
３２、３４  プリプロセッサ
３８、４０  前処理済みオーディオ信号
４１  遅延器
４２、４４  キューフィルタ
４６  フィルタリングが行われた信号
４８  適応キュー制御装置
５０  出力信号
５２  結合信号
５４  難聴補正済みの信号
５６  出力信号
７０  フィードバックキャンセラ
７２  入力
７４、７６  出力
７８、８０  減算器
１００  耳介
【図６】
2014140162.tif 000061
【図７】
2014140162.tif 000062
【図８】
2014140162.tif 000063
【図９】
2014140162.tif 000064
【図１】
2014140162.tif 000065
【図２】
2014140162.tif 000066
【図３】
2014140162.tif 000067
【図４】
2014140162.tif 000068
【図５】
2014140162.tif 000069
【外国語明細書】
2014140162000001.pdf
2014140162000002.pdf
2014140162000003.pdf
2014140162000004.pdf